(57)【要約】  室外機及び室内機が中継装置６１を介して通信を行う空調システム５１であって、複数の通信ポートを備える中継装置６１と、それぞれの通信ポートと論理的な接続関係が形成される複数の通信ネットワーク１０１と、それぞれの通信ネットワーク１０１と論理的な接続関係が形成される複数のノード７１とを備え、複数のノード７１のそれぞれは、室外機及び室内機の何れか一方が関連付けられ、複数のノード７１のうち、任意の一つのノードが第１ノードとして設定され、第１ノードと異なる任意の一つのノードが第２ノードとして設定され、中継装置６１は、第１ノードから第２ノードに通信フレームを転送処理後、第２ノードから受信確認信号を受信しなかったとき、通信フレームを当該第２ノードに再送するときの再送回数に制約をかけるものである。
2013186811.tif 000002
【特許請求の範囲】
【請求項１】
１台又は複数台の室外機と、１台又は複数台の室内機とを冷媒配管で接続して運転し、前記室外機及び前記室内機が中継装置を介して通信を行う空調システムであって、
複数の通信ポートを備える中継装置と、
それぞれの前記通信ポートと論理的な接続関係が形成される複数の通信ネットワークと、
それぞれの前記通信ネットワークと論理的な接続関係が形成される複数のノードと
を備え、
前記複数のノードのそれぞれは、前記室外機及び前記室内機の何れか一方が関連付けられ、
前記複数のノードのうち、
任意の一つのノードが第１ノードとして設定され、
前記第１ノードと異なる任意の一つのノードが第２ノードとして設定され、
前記中継装置は、
前記第１ノードから前記第２ノードに通信フレームを転送処理後、
前記第２ノードから受信確認信号を受信しなかったとき、前記通信フレームを当該第２ノードに再送するときの再送回数に制約をかける
ことを特徴とする空調システム。
【請求項２】
前記中継装置は、
前記通信フレームの転送先が登録されていないとき、前記再送回数をゼロ回に設定し、
前記通信フレームの転送先が登録されているとき、前記再送回数を予め設定した閾値回数に設定し、
前記通信ポートから、当該通信ポートと接続関係が形成されている前記通信ネットワークの前記複数のノードへ、前記通信フレームを出力する
ことを特徴とする請求項１に記載の空調システム。
【請求項３】
前記中継装置は、
前記通信ネットワークと接続関係が形成されている前記複数のノードのノード情報が設定され、
前記ノード情報には、前記ノードの通信アドレスが設定され、
複数の前記ノード情報を前記通信ポートごとに構成したものがデータテーブルとして設定され、
前記データテーブルに基づいて前記通信フレームが転送される
ことを特徴とする請求項２に記載の空調システム。
【請求項４】
前記中継装置は、
前記通信ネットワークと接続関係が形成されている前記複数のノードのノード情報が設定され、
前記ノード情報には、少なくとも、前記ノードの通信アドレスと、当該ノードに相当する前記室外機及び前記室内機の何れか一方の機種データとが組として設定され、
複数の前記ノード情報を前記通信ポートごとに構成したものがデータテーブルとして設定され、
前記データテーブルに基づいて前記通信フレームが転送される
ことを特徴とする請求項２に記載の空調システム。
【請求項５】
前記中継装置は、
前記通信フレームの転送先ノードの前記通信アドレスが未登録であり、かつ、当該通信フレームの転送後に当該転送先ノードから受信確認信号を受信したとき、当該受信確認信号に設定されている送信元の前記ノードの通信アドレス及び当該ノードの機種データを、前記ノード情報として前記データテーブルに追加し、
前記通信フレームの転送先ノードの前記通信アドレスが登録されており、かつ、当該通信フレームの転送後に当該転送先ノードから受信確認信号を受信しないとき、前記転送先に該当する前記ノード情報を前記データテーブルから削除する
ことを特徴とする請求項３又は４に記載の空調システム。
【請求項６】
前記複数のノードの一つとして、前記室内機及び前記室外機の何れか一方に操作指令を供給するリモートコントローラが更に設定され、
前記中継装置は、
前記機種データとして、前記リモートコントローラを設定した
ことを特徴とする請求項５に記載の空調システム。
【請求項７】
前記複数のノードの一つとして、前記複数の通信ネットワークを管理する集中管理装置が更に設定され、
前記中継装置は、
前記機種データとして、前記集中管理装置を設定した
ことを特徴とする請求項５に記載の空調システム。
【請求項８】
前記中継装置を複数台備え、
当該中継装置は、前記通信ネットワークを介して、カスケード接続され、
当該カスケード接続された中継装置のそれぞれは、
前記カスケード接続により追加されたノードに関する前記ノード情報を追加した前記データテーブルを備えた
ことを特徴とする請求項５に記載の空調システム。
【請求項９】
前記室内機及び前記室外機とから形成される空調装置は、
圧縮機、熱源側熱交換器、膨張手段、及び利用側熱交換器が前記冷媒配管で接続され、冷媒を循環させる冷媒回路と、
前記利用側熱交換器に対して空気を通流させる室内送風機と、
前記熱源側熱交換器に対して空気を通流させる室外送風機と、
前記圧縮機、前記室内送風機、及び前記室外送風機の回転数を制御する空調インバータ装置と
を備えた
ことを特徴とする請求項１〜８の何れか一項に記載の空調システム。
【請求項１０】
１台又は複数台の室外機と、１台又は複数台の室内機とが冷媒配管で接続されており、前記室外機及び前記室内機の何れか一方から送信される通信フレームを転送する中継装置であって、
複数の通信ポートと、
前記複数の通信ポートを通過する通信フレームを転送する制御部と
を備え、
それぞれの前記通信ポートと複数の通信ネットワークとは論理的な接続関係が形成され、
それぞれの前記通信ネットワークと複数のノードとは論理的な接続関係が形成され、
前記複数のノードのそれぞれは、前記室外機及び前記室内機の何れか一方が関連付けられ、
前記複数のノードのうち、
任意の一つのノードが第１ノードとして設定され、
前記第１ノードと異なる任意の一つのノードが第２ノードとして設定され、
前記制御部は、
前記第１ノードから前記第２ノードに通信フレームを転送処理後、
前記第２ノードから受信確認信号を受信しなかったとき、前記通信フレームを当該第２ノードに再送するときの再送回数に制約をかける
ことを特徴とする中継装置。
【請求項１１】
前記制御部は、
前記通信フレームの転送先が登録されていないとき、前記再送回数をゼロ回に設定し、
前記通信フレームの転送先が登録されているとき、前記再送回数を予め設定した閾値回数に設定し、
前記通信ポートから、当該通信ポートと接続関係が形成されている前記通信ネットワークの前記複数のノードへ、前記通信フレームを出力する
ことを特徴とする請求項１０に記載の中継装置。
【請求項１２】
前記制御部は、
前記通信ネットワークと接続関係が形成されている前記複数のノードのノード情報が設定され、
前記ノード情報には、前記ノードの通信アドレスが設定され、
複数の前記ノード情報を前記通信ポートごとに構成したものがデータテーブルとして設定され、
前記データテーブルに基づいて前記通信フレームが転送される
ことを特徴とする請求項１１に記載の中継装置。
【請求項１３】
前記制御部は、
前記通信ネットワークと接続関係が形成されている前記複数のノードのノード情報が設定され、
前記ノード情報には、少なくとも、前記ノードの通信アドレスと、当該ノードに相当する前記室外機及び前記室内機の何れか一方の機種データとが組として設定され、
複数の前記ノード情報を前記通信ポートごとに構成したものがデータテーブルとして設定され、
前記データテーブルに基づいて前記通信フレームが転送される
ことを特徴とする請求項１１に記載の中継装置。
【請求項１４】
前記制御部は、
前記通信フレームの転送先ノードの前記通信アドレスが未登録であり、かつ、当該通信フレームの転送後に当該転送先ノードから受信確認信号を受信したとき、当該受信確認信号に設定されている送信元の前記ノードの通信アドレス及び当該ノードの機種データを、前記ノード情報として前記データテーブルに追加し、
前記通信フレームの転送先ノードの前記通信アドレスが登録されており、かつ、当該通信フレームの転送後に当該転送先ノードから受信確認信号を受信しないとき、前記転送先に該当する前記ノード情報を前記データテーブルから削除する
ことを特徴とする請求項１２又は１３に記載の中継装置。
【請求項１５】
前記複数のノードの一つとして、前記室内機及び前記室外機の何れか一方に操作指令を供給するリモートコントローラが更に設定され、
前記制御部は、
前記機種データとして、前記リモートコントローラを設定した
ことを特徴とする請求項１４に記載の中継装置。
【請求項１６】
前記複数のノードの一つとして、前記複数の通信ネットワークを管理する集中管理装置が更に設定され、
前記制御部は、
前記機種データとして、前記集中管理装置を設定した
ことを特徴とする請求項１４に記載の中継装置。
【請求項１７】
前記複数の通信ポート及び前記制御部は、前記室内機、前記室外機、及び前記リモートコントローラの何れかに搭載された
ことを特徴とする請求項１５に記載の中継装置。
【請求項１８】
前記複数の通信ポート及び前記制御部は、前記集中管理装置に搭載された
ことを特徴とする請求項１６に記載の中継装置。
【請求項１９】
前記通信ネットワークを介して、カスケード接続され、
当該カスケード接続により追加されたノードに関する前記ノード情報が追加された前記データテーブルを備えた
ことを特徴とする請求項１７又は１８に記載の中継装置。
【発明の詳細な説明】
【技術分野】
【０００１】
本発明は、空調システム及び中継装置に関する。
【背景技術】
【０００２】
従来の空調システムは、複数の通信ネットワークを形成しており、各通信ネットワークは、複数のノードを構成していた。
各ノードは、通信ネットワーク上の物理的な接続経路情報を有しており、この接続経路情報に基づいて、受信した通信フレームを転送するか否かを判断していた（例えば、特許文献１参照）。
【先行技術文献】
【特許文献】
【０００３】
【特許文献１】特許第３９９５４６９号公報（段落［００２１］〜［００２７］）
【発明の概要】
【発明が解決しようとする課題】
【０００４】
しかしながら、従来の空調システムにおいては、各ノードが特定の通信ネットワークに対して受信した通信フレームを転送しない場合があるため、空調システムの通信ネットワークに接続する位置により、受信可能な通信フレームは決まるものであった。
よって、空調システムの通信ネットワーク上での監視位置によっては、空調システム全体の通信内容を監視することができない虞があった。【０００５】
このため、空調システムの通信ネットワークに接続するどの位置からでも同一の通信フレームを受信可能にするには、例えば、中継装置に相当する室外ユニット親機が、各通信ネットワークに対し、受信した全ての通信フレームを転送する処理を実行していた。
この場合、転送先となっているノードが存在しなければ、該当する通信フレームの再送処理が繰り返し実行された。
この結果、再送処理が繰り返されることにより、通信ネットワーク中に通信フレームが増加するため、空調システムの通信ネットワークの通信トラフィックを低減することができない虞があった。【０００６】
したがって、空調システムの通信ネットワーク上の任意の位置から空調システム全体の通信内容を監視しつつ、空調システムの通信ネットワークの通信トラフィックを低減することができないという問題点があった。【０００７】
本発明は、上記のような問題点を解決するためになされたもので、空調システムの通信ネットワーク上の任意の位置から空調システム全体の通信内容を監視しつつ、空調システムの通信ネットワークの通信トラフィックを低減することができる空調システムを提供することを目的とするものである。
【課題を解決するための手段】
【０００８】
本発明の空調システムは、１台又は複数台の室外機と、１台又は複数台の室内機とを冷媒配管で接続して運転し、前記室外機及び前記室内機が中継装置を介して通信を行う空調システムであって、複数の通信ポートを備える中継装置と、それぞれの前記通信ポートと論理的な接続関係が形成される複数の通信ネットワークと、それぞれの前記通信ネットワークと論理的な接続関係が形成される複数のノードとを備え、前記複数のノードのそれぞれは、前記室外機及び前記室内機の何れか一方が関連付けられ、前記複数のノードのうち、任意の一つのノードが第１ノードとして設定され、前記第１ノードと異なる任意の一つのノードが第２ノードとして設定され、前記中継装置は、前記第１ノードから前記第２ノードに通信フレームを転送処理後、前記第２ノードから受信確認信号を受信しなかったとき、前記通信フレームを当該第２ノードに再送するときの再送回数に制約をかけるものである。
【発明の効果】
【０００９】
本発明は、通信フレームの再送回数に制約をかけることにより、空調システムの通信ネットワーク上の任意の位置から空調システム全体の通信内容を監視しつつ、空調システムの通信ネットワークの通信トラフィックを低減することができるという効果を有する。
【図面の簡単な説明】
【００１０】
【図１】本発明の実施の形態１における冷媒回路１１の構成の一例を示す図である。
【図２】本発明の実施の形態１における空調システム５１の構成の一例を示す図である。
【図３】本発明の実施の形態１における中継装置６１が保持するデータテーブルの構成の一例を示す図である。
【図４】本発明の実施の形態１における中継装置６１を隠蔽した状態で説明する空調システム５１の動作の一例を示すシーケンスである。
【図５】本発明の実施の形態１における中継装置６１が再送処理を毎回実行する一例を示すシーケンスである。
【図６】本発明の実施の形態１における中継装置６１が再送処理を実行しない場合がある一例を示すシーケンスである。
【図７】本発明の実施の形態２における空調システム５２の構成の一例を示す図である。
【図８】本発明の実施の形態２における中継装置６２が保持するデータテーブルの構成の一例を示す図である。
【図９】本発明の実施の形態２における空調システム５２の同一通信ネットワーク内にある各ノードと中継装置６２との一連の動作例を示すシーケンスである。
【図１０】本発明の実施の形態２における空調システム５２の異なる通信ネットワーク内にある各ノードと中継装置６２との一連の動作例を示すシーケンスである。
【図１１】本発明の実施の形態２における空調システム５２には存在しないノードへのデータ送信の一例を示すシーケンスである。
【図１２】本発明の実施の形態３における空調システム５３の構成の一例を示す図である。
【図１３】本発明の実施の形態３における中継措置６３が保持するデータテーブルの登録内容の遷移を示す図である。
【図１４】本発明の実施の形態３における空調システム５３の各ノードと中継装置６３との一連の動作例を示すシーケンスである。
【図１５】本発明の実施の形態４における空調システム５４の構成の一例を示す図である。
【図１６】本発明の実施の形態４における中継装置６４が保持するデータテーブルの登録内容の遷移を示す図である。
【図１７】本発明の実施の形態４における空調システム５４の各ノードと中継装置６４との一連の動作例を示すシーケンスである。
【図１８】本発明の実施の形態５における空調システム５５の構成の一例を示す図である。
【図１９】本発明の実施の形態５における中継装置６５が保持するデータテーブルの構成の一例を示す図である。
【図２０】本発明の実施の形態５における中継装置６６が保持するデータテーブルの構成の一例を示す図である。
【図２１】本発明の実施の形態５における空調システム５５の各ノードと中継装置６５と中継装置６６との一連の動作例を示すシーケンスである。
【発明を実施するための形態】
【００１１】
以下、本発明の実施の形態について、図面を用いて詳細に説明する。
【００１２】
実施の形態１．
図１は、本発明の実施の形態１における冷媒回路１１の構成の一例を示す図である。
【００１３】
図１に示すように、冷媒回路１１は、圧縮機３１、室内熱交換器３６、膨張手段３７、及び室外熱交換器３８等を有し、冷媒配管を介して接続されることにより形成されるものである。
圧縮機３１は、運転容量を可変にすることが可能なものであり、例えば、インバータにより運転周波数が制御されるＤＣブラシレスモータ（図示せず）等によって駆動される容積式圧縮機から構成されている。
圧縮機３１は、空調インバータ装置２１により制御され、例えば、室内熱交換器３６に設置された後述するセンサで検知された温度と、設定温度との偏差に応じて操作量が決定されることで制御されるものである。
【００１４】
なお、圧縮機３１の吐出側には、吐出された冷媒の温度を検知するセンサが設けられていてもよい。
また、圧縮機３１の吸入側には、吸入された冷媒の温度を検知するセンサが設けられていてもよい。
また、圧縮機３１の吐出側には、吐出された冷媒の圧力を検知するセンサが設けられていてもよい。
また、圧縮機３１の吸入側には、吸入された冷媒の圧力を検知するセンサが設けられていてもよい。
また、圧縮機３１の筐体には、筐体の表面温度を検知するセンサが設けられていてもよい。
【００１５】
室内熱交換器３６は、利用側熱交換器として機能するものであり、室内熱交換器３６の近傍には、室内送風機３５が付設されている。
【００１６】
室内熱交換器３６は、冷房運転時には、冷媒の蒸発器として機能することで図示しない室内（以下、室内と称する）の空気を冷却するものである。室内熱交換器３６は、例えば、伝熱管と多数のフィンとから構成されるクロスフィン式のフィン・アンド・チューブ型熱交換器から構成されている。
なお、ここでは、四方弁を設けない冷媒回路１１について説明するが、四方弁が設けられた場合には、室内熱交換器３６は、暖房運転時には、冷媒の凝縮器として機能することで室内の空気を加熱することになる。
【００１７】
なお、室内熱交換器３６の近傍に、気液二相状態の冷媒の温度を検知するセンサが設置されていてもよい。
また、室内熱交換器３６の液側に、液状態又は気液二相状態の冷媒の温度を検知するセンサが設けられていてもよい。
【００１８】
室内送風機３５は、室内熱交換器３６により、室内の空気と冷媒との間で熱交換した空気を供給空気として室内に供給する機能を有するものである。室内送風機３５は、室内熱交換器３６に供給する空気の流量を可変することが可能なファン、例えば、ＤＣファンモータから構成される室内送風機駆動部（図示せず）により駆動される遠心ファンや多翼ファン等から構成されている。
【００１９】
膨張手段３７は、高圧状態の冷媒を減圧して低圧状態にするものであり、例えば、開度が可変に制御可能な電子式膨張弁等で構成されている。
【００２０】
室外熱交換器３８は、冷房運転時には、冷媒の凝縮器として機能するものであり、例えば、伝熱管と多数のフィンとにより形成されるクロスフィン式のフィン・アンド・チューブ型熱交換器から構成されている。
なお、ここでは、四方弁を設けない冷媒回路１１について説明するが、四方弁が設けられた場合には、室外熱交換器３８は、暖房運転時には、冷媒の蒸発器として機能する。
【００２１】
なお、室外熱交換器３８の近傍に、気液二相状態の冷媒の温度を検知するセンサが設けられていてもよい。
また、室外熱交換器３８の液側に、液状態又は気液状態の冷媒の温度を検知する液側センサが設けられていてもよい。
【００２２】
室外送風機３３は、室外熱交換器３８の近傍に付設されている。室外送風機３３は、外部の室外空気を図示しない室外空気取込口から吸入し、室外熱交換器３８により、室外空気と冷媒との間で熱交換した空気を室外へ排出する機能を有するものである。室外送風機３３は、室外送風機３３に供給する空気の流量を可変することが可能なファン、例えば、ＤＣファンモータから構成される室外送風機駆動部３４によって駆動される遠心ファンや多翼ファン等から構成されている。
【００２３】
なお、圧縮機３１、室内送風機３５、膨張手段３７、及び室外送風機３３は、上記で説明した各種センサ等の検知値に応じて空調インバータ装置２１によって制御されるものである。
【００２４】
例えば、空調インバータ装置２１は、除湿運転時、冷媒側の流れとしては、圧縮機３１で高温かつ高圧に冷媒を圧縮させ、圧縮させた冷媒を室外熱交換器３８で凝縮させることにより放熱させ、放熱させた冷媒を膨張手段３７で減圧させ、室内熱交換器３６で蒸発させることにより吸熱させ、再び圧縮機３１に戻させる。
このとき、空調インバータ装置２１は、空気側の流れとしては、室内空気が図示しない吸込口から吸い込ませ、室内熱交換器３６で冷却かつ除湿させた後、室外熱交換器３８で加熱させ、室内送風機３５により図示しない吹出口から再び室内へ吹き出させる。なお、室内熱交換器３６で室内空気を除湿した際に生じたドレン水は、図示しない排水管を通って図示しないタンクに溜められ、タンクから外部に排気される。
【００２５】
具体的には、上記で説明した空調インバータ装置２１は、図示しない外気温度センサ、図示しない室内温度センサ、及び図示しない室内湿度センサ等から検知される各種データ及び各種設定データに基づいて、膨張手段３７の開度、圧縮機３１の回転数、室内送風機３５の回転数、及び室外送風機３３の回転数等を決定し、決定した各種パラメータに基づいて、冷媒回路１１の空調能力を増減することにより、冷房能力や除湿能力を調整するものである。
【００２６】
上記で説明した冷媒回路１１は、後述する空調システム５１〜５５の各々に組み込まれることにより、室内の空気を調和する。
例えば、室内熱交換器３６及び室内送風機３５が、後述する室内機の図示しない筐体に格納され、圧縮機３１、室外熱交換器３８、室外送風機３３、膨張手段３７、空調インバータ装置２１が、後述する室外機の図示しない筐体に格納された状態で冷媒回路１１が形成されていてもよい。
なお、冷媒回路１１が空調システム５１〜５５のそれぞれへ組み込まれる形態については、特に限定するものではない。
【００２７】
図２は、本発明の実施の形態１における空調システム５１の構成の一例を示す図である。
図２に示すように、空調システム５１は、中継装置６１、ノード７１ａ、ノード７１ｂ、及びノード７１ｃ等が互いに連係することにより、室内の空気を調和するものであり、その際、さまざまなデータが相互通信されるものである。
【００２８】
中継装置６１は、ノード７１ａ、ノード７１ｂ、及びノード７１ｃの何れかから供給される通信フレームを転送先に転送する中継機能を有するものである。
具体的には、中継装置６１は、Ａポート、Ｂポート、Ｃポート、記憶部８１、及び制御部９１等を備えている。
【００２９】
記憶部８１は、例えば、書換え可能なＲＡＭ（Ｒａｎｄｏｍ  Ａｃｃｅｓｓ  Ｍｅｍｏｒｙ）を用いて、一時的にデータを保存する。また、記憶部８１は、例えば、読み出しのみ可能なＲＯＭ（Ｒｅａｄ  Ｏｎｌｙ  Ｍｅｍｏｒｙ）を用いて、処理プログラム、パラメータ、各種ディップスイッチ等（図示せず）に対応するコード等が記憶してある。すなわち、記憶部８１は、ＲＡＭやＲＯＭ等から構成されている。
また、記憶部８１は、図３を用いて後述するデータテーブルを保持している。すなわち、記憶部８１には、図３を用いて後述するデータテーブルが設定されている。
【００３０】
制御部９１は、記憶部８１から処理プログラム等を読み出し、一定のクロックを供給する図示しない発信器の周波数に基づいて実行する。また、制御部９１は、施工業者等により図示しないディップスイッチ等が操作されたとき、その操作に対応して、中継装置６１の設定を変更させたり、ディップスイッチ等の操作結果を図示しない表示部等に供給したりする。
【００３１】
Ａポートは、通信ポートであり、通信ネットワーク１０１ａと論理的な接続関係が形成されるものである。すなわち、中継装置６１は、Ａポートを介して、通信ネットワーク１０１ａと通信を確立した状態にすることにより、通信ネットワーク１０１ａ上にあるノード７１ａとの相互通信を可能とする。
【００３２】
Ｂポートは、通信ポートであり、通信ネットワーク１０１ｂと論理的な接続関係が形成されるものである。すなわち、中継装置６１は、Ｂポートを介して、通信ネットワーク１０１ｂと通信を確立した状態にすることにより、通信ネットワーク１０１ｂ上にあるノード７１ｂとの相互通信を可能とする。
【００３３】
Ｃポートは、通信ポートであり、通信ネットワーク１０１ｃと論理的な接続関係が形成されるものである。すなわち、中継装置６１は、Ｃポートを介して、通信ネットワーク１０１ｃと通信を確立した状態にすることにより、通信ネットワーク１０１ｃ上にあるノード７１ｃとの相互通信を可能とする。
【００３４】
なお、ここでは、中継装置６１が３つの通信ポートを備えている一例について説明したが、これに限定するものではない。
例えば、中継装置６１が２つの通信ポートを備えているものであってもよい。
また、例えば、中継装置６１が４つ以上の多数の通信ポートを備えているものであってもよい。
【００３５】
通信ネットワーク１０１ａは、通信媒体であり、通信ポートであるＡポートと論理的な接続関係が形成されるものである。
【００３６】
なお、通信ネットワーク１０１ａは、Ａポートと論理的な接続関係が形成されていればよいので、その具体的な通信形態は特に限定するものではない。
例えば、通信ネットワーク１０１ａは、銅線等から形成される有線による通信形態で形成されるものであってもよい。具体的には、イーサネット規格に準拠したＬＡＮケーブルが敷設されることにより形成されればよい。
また、例えば、通信ネットワーク１０１ａは、電波等の無線による通信形態で形成されるものであってもよい。具体的には、無線ＬＡＮ規格の一つであるＩＥＥＥ８０２．１１に準拠した無線形態で形成されればよい。
また、例えば、通信ネットワーク１０１ａは、ＩＥＥＥ８０２．１１ｉに準拠したＷｉ−Ｆｉ（Ｗｉ−Ｆｉ  Ａｌｌｉａｎｃｅの登録商標）によって形成されるものであってもよい。
また、例えば、通信ネットワーク１０１ａは、光ファイバ等の光通信による通信形態で形成されるものであってもよい。具体的には、通信規格の一つであるＩＥＥＥ８０２．１５．７に準拠した通信形態で形成されればよい。
【００３７】
換言すれば、中継装置６１は、Ａポート及び通信ネットワーク１０１ａを介して、ノード７１ａと論理的な接続関係が形成される。
【００３８】
通信ネットワーク１０１ｂは、通信媒体であり、通信ポートであるＢポートと論理的な接続関係が形成されるものである。
【００３９】
なお、通信ネットワーク１０１ｂは、Ｂポートと論理的な接続関係が形成されていればよいので、その具体的な通信形態は特に限定するものではない。
通信ネットワーク１０１ｂは、例えば、銅線等から形成される有線による通信形態で形成されるものであってもよい。具体的には、イーサネット規格に準拠したＬＡＮケーブルが敷設されることにより形成されればよい。
通信ネットワーク１０１ｂは、例えば、電波等の無線による通信形態で形成されるものであってもよい。具体的には、無線ＬＡＮ規格の一つであるＩＥＥＥ８０２．１１に準拠した無線形態で形成されればよい。また、例えば、ＩＥＥＥ８０２．１１ｉに準拠したＷｉ−Ｆｉ（Ｗｉ−Ｆｉ  Ａｌｌｉａｎｃｅの登録商標）によって形成されるものであってもよい。
通信ネットワーク１０１ｂは、例えば、光ファイバ等の光通信による通信形態で形成されるものであってもよい。具体的には、通信規格の一つであるＩＥＥＥ８０２．１５．７に準拠した通信形態で形成されればよい。
【００４０】
換言すれば、中継装置６１は、Ｂポート及び通信ネットワーク１０１ｂを介して、ノード７１ｂと論理的な接続関係が形成されるものである。
【００４１】
通信ネットワーク１０１ｃは、通信媒体であり、通信ポートであるＣポートと論理的な接続関係が形成されるものである。
【００４２】
なお、通信ネットワーク１０１ｃは、Ｃポートと論理的な接続関係が形成されていればよいので、その具体的な通信形態は特に限定するものではない。
例えば、通信ネットワーク１０１ｃは、銅線等から形成される有線による通信形態で形成されるものであってもよい。具体的には、イーサネット規格に準拠したＬＡＮケーブルが敷設されることにより形成されればよい。
また、例えば、通信ネットワーク１０１ｃは、電波等の無線による通信形態で形成されるものであってもよい。具体的には、無線ＬＡＮ規格の一つであるＩＥＥＥ８０２．１１に準拠した無線形態で形成されればよい。
また、例えば、通信ネットワーク１０１ｃは、ＩＥＥＥ８０２．１１ｉに準拠したＷｉ−Ｆｉ（Ｗｉ−Ｆｉ  Ａｌｌｉａｎｃｅの登録商標）によって形成されるものであってもよい。
また、例えば、通信ネットワーク１０１ｃは、光ファイバ等の光通信による通信形態で形成されるものであってもよい。具体的には、通信規格の一つであるＩＥＥＥ８０２．１５．７に準拠した通信形態で形成されればよい。
【００４３】
換言すれば、中継装置６１は、Ｃポート及び通信ネットワーク１０１ｃを介して、ノード７１ｃと論理的な接続関係が形成される。
【００４４】
なお、通信ネットワーク１０１ａ、通信ネットワーク１０１ｂ、及び通信ネットワーク１０１ｃの何れかを特に限定しないときは、通信ネットワーク１０１と称する。
また、ここでは、３つの通信ネットワークが存在する一例について説明したが、これに限定するものではない。
例えば、３つ未満の通信ネットワークが存在する場合であってもよい。
また、例えば、４つ以上の通信ネットワークが存在する場合であってもよい。
【００４５】
ノード７１ａは、通信ネットワーク１０１ａと論理的な接続関係が形成されるものであり、ネットワークを形成する論理的な構成要素を抽象化したものである。
例えば、ノード７１ａを具体化したものとしては、室内機が相当する。この場合、ノード７１ａは、室内機に相当する。つまり、抽象概念のノード７１ａは、具体的には、室内機が関連付けられる。
ノード７１ａは、空調システム５１の運用上、アドレスが割り付けられている。例えば、ノード７１ａには、アドレス＃１が、ノード７１ａの通信アドレスとして設定される。
なお、上記の説明では、ノード７１ａが、室内機に関連付けられ、アドレス＃１が通信アドレスとして設定される一例について説明したが、これに限定するものでない。
例えば、ノード７１ａが、室外機、後述するリモートコントローラ、及び後述する集中管理装置の何れかに関連付けられてもよい。
また、例えば、ノード７１ａが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０１ａ上でノード７１ａがユニークに定まるものであればよい。
【００４６】
ノード７１ｂは、通信ネットワーク１０１ｂと論理的な接続関係が形成されるものであり、ネットワークを形成する論理的な構成要素を抽象化したものである。
例えば、ノード７１ｂを具体化したものとしては、室外機が相当する。この場合、ノード７１ｂは、室外機に相当する。つまり、抽象概念のノード７１ｂは、具体的には、室外機が関連付けられる。
ノード７１ｂは、空調システム５１の運用上、アドレスが割り付けられている。例えば、ノード７１ｂには、アドレス＃２が、ノード７１ｂの通信アドレスとして設定される。
なお、上記の説明では、ノード７１ｂが、室外機に関連付けられ、アドレス＃２が通信アドレスとして設定される一例について説明したが、これに限定するものでない。
例えば、ノード７１ｂが、室内機、後述するリモートコントローラ、及び後述する集中管理装置の何れかに関連付けられてもよい。
また、例えば、ノード７１ｂが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０１ｂ上でノード７１ｂがユニークに定まるものであればよい。
【００４７】
ノード７１ｃは、通信ネットワーク１０１ｃと論理的な接続関係が形成されるものであり、ネットワークを形成する論理的な構成要素を抽象化したものである。
例えば、ノード７１ｃを具体化したものとしては、室外機が相当する。この場合、ノード７１ｃは、室外機に相当する。つまり、抽象概念のノード７１ｃは、具体的には、室外機が関連付けられる。
ノード７１ｃは、空調システム５１の運用上、アドレスが割り付けられている。例えば、ノード７１ｃには、アドレス＃３が、ノード７１ｃの通信アドレスとして設定される。
なお、上記の説明では、ノード７１ｃが、室外機に関連付けられ、アドレス＃３が通信アドレスとして設定される一例について説明したが、これに限定するものでない。
例えば、ノード７１ｃが、室内機、後述するリモートコントローラ、及び後述する集中管理装置の何れかに関連付けられてもよい。
また、例えば、ノード７１ｃが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０１ｃ上でノード７１ｃがユニークに定まるものであればよい。
【００４８】
なお、図２においては、中継装置６１と、ノード７１ａと、ノード７１ｂと、ノード７１ｃとの論理的な接続関係について説明したものである。すなわち、ネットワークトポロジーについて説明したものであり、物理的な接続関係について説明したものではない。
中継装置６１は、実際には、物理的にはどこに搭載されてもよい。後述する図７、１２、１５、及び１８において説明する各構成についても同様である。
例えば、中継装置６１は、室外機に内蔵された制御基板上にその機能が搭載され、後述する処理が行われるようにしてもよい。
また、例えば、中継装置６１は、室内機に内蔵された制御基板上にその機能が搭載され、後述する処理が行われるようにしてもよい。
また、例えば、中継装置６１は、後述するリモートコントローラに内蔵された制御基板上にその機能が搭載され、後述する処理が行われるようにしてもよい。
また、例えば、中継装置６１は、後述する集中管理装置に内蔵された制御基板上にその機能が搭載され、後述する処理が行われるようにしてもよい。
【００４９】
なお、ノード７１ａ、ノード７１ｂ、及びノード７１ｃの何れかを特に限定しないときは、ノード７１と称する。
また、ここでは、ノードが３台の場合について説明したが、特にノードの台数を限定するものではなく、３台未満であっても、３台より多い台数であってもよい。
【００５０】
次に、中継装置６１とノード７１ａとの通信形態の一例について説明する。
中継装置６１及びノード７１ａは、通信ネットワーク１０１ａを介して、コネクションを確立させる。
中継装置６１及びノード７１ａは、コネクションの確立後に相互に通信フレームを転送し合う。
中継装置６１及びノード７１ａは、通信フレームを転送し合う通信が終了後、コネクションを切断させる。
【００５１】
なお、送受信される通信フレームは、例えば、空調システム５１の稼働中に取得される稼働データである。
具体的には、通信フレームにカプセル化される稼働データは、室内温度や圧縮機３１の運転周波数等である。
より具体的には、稼働データに対して、送信元アドレスや送信先アドレス等が追加されることで一つの通信フレームが形成されるものであり、形成された通信フレームが通信ネットワーク１０１上で送受信される。
【００５２】
また、通信フレームは、稼働データがパケットとして所定の大きさに区切られ、このパケットに送信元アドレスや送信先アドレス等を追加したものであってもよい。
この場合には、複数に区切られたパケットは、送信先アドレスで指定されたところへパケット単位で順次送信される。
【００５３】
図３は、本発明の実施の形態１における中継装置６１が保持するデータテーブルの構成の一例を示す図である。
図３に示すように、データテーブルは、ノード７１に関連するデータから構成されている。
【００５４】
具体的には、データテーブルは、Ａポート側の通信ネットワーク１０１ａ上にあるノード７１ａに関連するデータ、Ｂポート側の通信ネットワーク１０１ｂ上にあるノード７１ｂに関連するデータ、及びＣポート側の通信ネットワーク１０１ｃ上にあるノード７１ｃに関連するデータから構成されている。
【００５５】
まず、Ａポート側に関するデータテーブルについて説明する。
データテーブルは、ノード７１ａに関連するデータとして、通信アドレスのデータ及び機種データが組で設定されている。
ここでいう機種データとは、例えば、室内機や室外機等の空調システムを構成する具体的な構成要素である。
例えば、図３に示すように、Ａポート側の通信ネットワーク１０１ａと論理的な接続関係を形成するノード７１ａは、通信アドレスとしてアドレス＃１が設定され、機種データとして室内機を示すものが設定されている。
【００５６】
次に、Ｂポート側に関するデータテーブルについて説明する。
データテーブルは、ノード７１ｂに関連するデータとして、通信アドレスのデータ及び機種データが組で設定されている。
ここでいう機種データとは、例えば、室内機や室外機等の空調システムを構成する具体的な構成要素である。
例えば、図３に示すように、Ｂポート側の通信ネットワーク１０１ｂと論理的な接続関係を形成するノード７１ｂは、通信アドレスとしてアドレス＃２が設定され、機種データとして室外機を示すものが設定されている。
【００５７】
次に、Ｃポート側に関するデータテーブルについて説明する。
データテーブルは、ノード７１ｃに関連するデータとして、通信アドレスのデータ及び機種データが組で設定されている。
ここでいう機種データとは、例えば、室内機や室外機等の空調システムを構成する具体的な構成要素である。
例えば、図３に示すように、Ｃポート側の通信ネットワーク１０１ｃと論理的な接続関係を形成するノード７１ｃは、通信アドレスとしてアドレス＃３が設定され、機種データとして室外機を示すものが設定されている。
【００５８】
換言すれば、データテーブルは、ノード７１の通信アドレスと、ノード７１に関連付けされた機種データとにより、組としたものを一つのノード情報とし、このノード情報を通信ポートごとに構成させたものである。
例えば、Ａポート側には、通信アドレスが＃１と機種データが室内機との組から構成されるノード情報が構成され、Ｂポート側には、通信アドレスが＃２と機種データが室外機との組から構成されるノード情報が構成され、Ｃポート側には、通信アドレスが＃３と機種データが室外機との組から構成されるノード情報が構成されている。
要するに、データテーブルは、各ポートと、各ノードとで形成されている論理的な接続関係の一覧を示すものであり、以後の説明で用いるデータテーブルについても同様とする。
【００５９】
なお、データテーブルの形式については、これに限定するものではない。
例えば、通信アドレスだけでデータテーブルが構成されていてもよい。
例えば、通信アドレスだけの通信アドレステーブルと、機種データだけの機種データデータテーブルとがそれぞれ事前に作成され、通信アドレステーブルと、機種データテーブルとを一対一に対応づけるマッピングテーブルが作成されることにより、通信アドレスと機種データとの組が作成可能な状態にしておいてもよい。
また、通信アドレステーブル、機種データテーブル、及びマッピングテーブルを統合化したものが、データテーブルであってもよい。
また、データテーブルのデータは、空調システム５１の稼働前に予め記憶部８１に格納させておく。なお、データテーブルのデータは、空調システム５１の稼働中に任意のノード７１からデータテーブルのデータが供給されることにより、設定されてもよい。
【００６０】
図４は、本発明の実施の形態１における中継装置６１を隠蔽した状態で説明する空調システム５１の動作の一例を示すシーケンスである。
【００６１】
図４に示すように、通信１は、ノード７１ｂからノード７１ａへのデータ送信であり、通信２は、ノード７１ｂからノード７１ｃへのデータ送信である。
以下、通信１及び通信２の詳細について、順に説明する。
【００６２】
（通信１）
通信１の処理について説明する。
まず、ノード７１ｂは、ノード７１ａ宛に通信フレームを送信する。
次に、ノード７１ａは、ノード７１ｂから送信された通信フレームを受信後、ノード７１ｂにＡＣＫ信号を送信する。
次に、ノード７１ｂは、ノード７１ａから送信されたＡＣＫ信号を受信し、送信処理を完了する。
このようにして、通信１の処理が実行される。
【００６３】
（通信２）
通信２の処理について説明する。
まず、ノード７１ｂは、ノード７１ｃ宛に通信フレームを送信する。
次に、ノード７１ｂは、所定期間、送信先のノード７１ｃからＡＣＫ信号を受信しなかったので、同一の通信フレームを、ノード７１ｃ宛に再送する。
次に、ノード７１ｂは、所定期間、送信先のノード７１ｃからＡＣＫ信号を受信しなかったので、同一の通信フレームを、ノード７１ｃ宛に再送する。
次に、ノード７１ｃは、ノード７１ｂから再送された通信フレームを受信する。
次に、ノード７１ｃは、ノード７１ｂから再送された通信フレームを受信したので、送信元であるノード７１ｃへ、ＡＣＫ信号を送信する。
次に、ノード７１ｂは、ノード７１ｃから送信されたＡＣＫ信号を受信し、送信処理を完了する。
このようにして、通信２の処理が実行される。
【００６４】
すなわち、通常、送信先からＡＣＫ信号を受信しなかったとき、再送処理が繰り返し実行されることとなる。
なお、送信先のノード７１や送信元のノード７１の判断には、通信フレームに含まれる送信先アドレスや送信元アドレスを参照すればよい。
【００６５】
次に、上記で説明した通信１の詳細について、中継装置６１の動作も含めた場合について、図５を用いて説明する。
図５は、本発明の実施の形態１における中継装置６１が再送処理を実行する処理の一例を示すシーケンスである。
【００６６】
図５に示すように、通信３は、ノード７１ｂからノード７１ａへのデータ送信であり、通信４は、ノード７１ｂからノード７１ｃへのデータ送信である。
以下、通信３及び通信４の詳細について、順に説明する。
【００６７】
（通信３）
通信３の処理について説明する。
ノード７１ｂは、ノード７１ａ宛に通信フレームを送信する。
中継装置６１は、ノード７１ｂから送信された通信フレームをＢポートで受信後、ノード７１ｂにＡＣＫ信号をＢポートから送信する。
ノード７１ｂは、中継装置６１からＡＣＫ信号を受信後、自ノードの送信処理を完了する。
中継装置６１は、ノード７１ｂから受信したノード７１ａ宛の通信フレームを、ノード７１ａと接続関係が形成されているＡポートと、ノード７１ｃと接続関係が形成されているＣポートとから送信する。
【００６８】
Ａポート側の処理について説明する。
中継装置６１は、ノード７１ａにＡポートから通信フレームを転送する。
ノード７１ａは、中継装置６１から転送された自ノード宛の通信フレームを受信する。
ノード７１ａは、中継装置６１へＡＣＫ信号を送信する。
中継装置６１は、ノード７１ａからＡＣＫ信号を受信後、ノード７１ａ宛の通信フレームを転送する送信処理を完了する。
【００６９】
Ｃポート側の処理について説明する。
中継装置６１は、ノード７１ａ宛の通信フレームをＣポートから送信する。
中継装置６１は、所定期間、送信先のノード７１ａからＡＣＫ信号を受信しなかったので、同一の通信フレームを、ノード７１ａ宛でＣポートから再送する。
中継装置６１は、所定期間、送信先のノード７１ａからＡＣＫ信号を受信しなかったので、同一の通信フレームを、ノード７１ａ宛でＣポートから再送する。
このような再送処理は、通常、所定の回数、例えば、３回実行される。
【００７０】
このようにして、通信３の処理が実行される。
なお、上記の説明では、便宜上、Ａポート側の処理を説明した後、Ｃポート側の処理を説明したが、必ずこのように逐次実行されるわけではなく、それぞれの処理が並行して処理されてもよい。
また、上記の説明では、再送処理の回数が３回の一例について説明したが、特にこれに限定するものではない。例えば、再送処理の回数は、３回未満であってもよく、４回以上であってもよい。再送処理の回数は、適宜、通信トラフィックの状況に応じて変動させてもよい。例えば、通信トラフィックが混雑していれば、再送回数は少なめに設定され、通信トラフィックが混雑していなければ、再送回数は多めに設定されてもよい。
【００７１】
（通信４）
通信４の処理について説明する。
ノード７１ｂは、ノード７１ｃ宛に通信フレームを送信する。
中継装置６１は、ノード７１ｂから送信された通信フレームをＢポートで受信後、ノード７１ｂにＡＣＫ信号をＢポートから送信する。
ノード７１ｂは、中継装置６１からＡＣＫ信号を受信後、自ノードの送信処理を完了する。
中継装置６１は、ノード７１ｂから受信したノード７１ｃ宛の通信フレームを、ノード７１ａと接続関係が形成されているＡポートと、ノード７１ｃと接続関係が形成されているＣポートとから送信する。
【００７２】
Ａポート側の処理について説明する。
中継装置６１は、ノード７１ｃ宛の通信フレームをＡポートから送信する。
中継装置６１は、所定期間、送信先のノード７１ｃからＡＣＫ信号を受信しなかったので、同一の通信フレームを、ノード７１ｃ宛でＡポートから再送する。
このような再送処理は、通常、所定の回数、例えば、３回実行される。
【００７３】
Ｃポート側の処理について説明する。
中継装置６１は、ノード７１ｃにＣポートから転送する。
中継装置６１は、所定期間、送信先のノード７１ｃからＡＣＫ信号を受信しなかったので、同一の通信フレームを、ノード７１ｃ宛でＣポートから再送する。
中継装置６１は、再送処理後、所定期間、送信先のノード７１ｃからＡＣＫ信号を受信しなかったので、同一の通信フレームを、ノード７１ｃ宛でＣポートから再送する。
ノード７１ｃは、中継装置６１から転送された自ノード宛の通信フレームを受信する。
ノード７１ｃは、中継装置６１へＡＣＫ信号を送信する。
中継装置６１は、ノード７１ｃからＡＣＫ信号を受信後、ノード７１ｃ宛の通信フレームを転送する送信処理を完了する。
【００７４】
このようにして、通信４の処理が実行される。
なお、上記の説明では、便宜上、Ａポート側の処理を説明した後、Ｃポート側の処理を説明したが、必ずこのように逐次実行されるわけではなく、それぞれの処理が並行して処理されてもよい。
また、上記の説明では、再送処理の回数が３回の一例について説明したが、特にこれに限定するものではない。例えば、再送処理の回数は、３回未満であってもよく、４回以上であってもよい。再送処理の回数は、適宜、通信トラフィックの状況に応じて変動させてもよい。例えば、通信トラフィックが混雑していれば、再送回数は少なめに設定され、通信トラフィックが混雑していなければ、再送回数は多めに設定されてもよい。
【００７５】
上記で説明したように、通信３の処理及び通信４の処理においては、再送処理が繰り返し実行されることとなる。そのため、空調システム５１のネットワーク上の通信トラフィックは増加する。
このように、一律に再送処理を繰り返し実行すれば、通信品質は確保される。しかし、実際には、必ずしも再送処理が必要とはならない場合がある。
例えば、送信先のノードが未登録であれば、再送処理を繰り返し実行しても、ＡＣＫ信号は返信されない。
そこで、送信先のノードが未登録の場合には、再送処理を実行しないこととし、送信先のノードが登録されている場合には、再送処理を実行することとした処理について、図６を用いて説明する。
【００７６】
図６は、本発明の実施の形態１における中継装置６１が再送処理を実行しない処理の一例を示すシーケンスである。
【００７７】
図６に示すように、通信３は、ノード７１ｂからノード７１ａへのデータ送信であり、通信４は、ノード７１ｂからノード７１ｃへのデータ送信である。
以下、通信３及び通信４の詳細について、順に説明する。
【００７８】
（通信３）
通信３の処理について説明する。
ノード７１ｂは、ノード７１ａ宛に通信フレームを送信する。
中継装置６１は、ノード７１ｂから送信された通信フレームをＢポートで受信後、ノード７１ｂにＡＣＫ信号をＢポートから送信する。
ノード７１ｂは、中継装置６１からＡＣＫ信号を受信後、自ノードの送信処理を完了する。
中継装置６１は、ノード７１ｂから受信したノード７１ａ宛の通信フレームを、ノード７１ａと接続関係が形成されているＡポートと、ノード７１ｃと接続関係が形成されているＣポートとから送信する。
【００７９】
Ａポート側の処理について説明する。
中継装置６１は、ノード７１ａにＡポートから通信フレームを転送する。
ノード７１ａは、中継装置６１から転送された自ノード宛の通信フレームを受信する。
ノード７１ａは、中継装置６１へＡＣＫ信号を送信する。
中継装置６１は、ノード７１ａからＡＣＫ信号を受信後、ノード７１ａ宛の通信フレームを転送する送信処理を完了する。
【００８０】
Ｃポート側の処理について説明する。
中継装置６１は、ノード７１ａ宛の通信フレームをＣポートから送信する。
中継装置６１は、所定期間、送信先のノード７１ａからＡＣＫ信号を受信しなかったものの、Ｃポート側に関するデータテーブルには送信先であるノード７１ａは登録されていない。そこで、この場合については、同一の通信フレームを、ノード７１ａ宛でＣポートから再送する処理を実行しない。
すなわち、中継装置６１は、送信先のノードが未登録時、所定期間、送信先のノード７１ａからＡＣＫ信号を受信しなくても、同一の通信フレームを、ノード７１ａ宛でＣポートから再送する処理を実行しない。
換言すれば、中継装置６１は、転送処理する通信フレームの転送先が登録されていないとき、再送回数をゼロ回に設定する。
【００８１】
このようにして、通信３の処理が実行される。
なお、上記の説明では、便宜上、Ａポート側の処理を説明した後、Ｃポート側の処理を説明したが、必ずこのように逐次実行されるわけではなく、それぞれの処理が並行して処理されてもよい。
【００８２】
（通信４）
通信４の処理について説明する。
ノード７１ｂは、ノード７１ｃ宛に通信フレームを送信する。
中継装置６１は、ノード７１ｂから送信された通信フレームをＢポートで受信後、ノード７１ｂにＡＣＫ信号をＢポートから送信する。
ノード７１ｂは、中継装置６１からＡＣＫ信号を受信後、自ノードの送信処理を完了する。
中継装置６１は、ノード７１ｂから受信したノード７１ｃ宛の通信フレームを、ノード７１ａと接続関係が形成されているＡポートと、ノード７１ｃと接続関係が形成されているＣポートとから送信する。
【００８３】
Ａポート側の処理について説明する。
中継装置６１は、ノード７１ｃ宛の通信フレームをＡポートから送信する。
中継装置６１は、所定期間、送信先のノード７１ｃからＡＣＫ信号を受信しなかったものの、Ａポート側に関するデータテーブルには送信先であるノード７１ｃは登録されていない。そこで、この場合については、同一の通信フレームを、ノード７１ｃ宛でＡポートから再送する処理を実行しない。
すなわち、中継装置６１は、送信先のノードが未登録時、所定期間、送信先のノード７１ｃからＡＣＫ信号を受信しなくても、同一の通信フレームを、ノード７１ｃ宛でＡポートから再送する処理を実行しない。
【００８４】
Ｃポート側の処理について説明する。
中継装置６１は、ノード７１ｃにＣポートから通信フレームを転送する。
中継装置６１は、所定期間、送信先のノード７１ｃからＡＣＫ信号を受信しなかった。ただし、Ｃポート側に関するデータテーブルには送信先であるノード７１ｃが登録されている。そこで、この場合については、同一の通信フレームを、ノード７１ｃ宛でＣポートから再送する処理を実行する。
すなわち、中継装置６１は、送信先のノードが登録時、所定期間、送信先のノード７１ｃからＡＣＫ信号を受信しなかったとき、同一の通信フレームを、ノード７１ｃ宛でＣポートから再送する処理を実行する。
【００８５】
換言すれば、中継装置６１は、通信フレームの転送先が登録されているとき、再送回数を予め設定した閾値回数に設定する。閾値回数は、通常の再送回数より少なくても多くてもよい。仮に、通常の再送回数よりも少なめに閾値回数が設定されたと想定する。
例えば、上記の説明のように、通常の再送処理が３回に設定されているときには、閾値回数は２回であるが、特に限定するものではない。
例えば、通信トラフィックが混雑していれば、通常の再送回数は少なめに設定され、通信トラフィックが混雑していなければ、再送回数は多めに設定される。
このため、閾値回数も通信トラフィックの混雑度合いに応じて、通常の再送回数に連動して異なる値が設定されてもよい。
なお、通常の再送回数と連動させず、固定値として、閾値回数が設定されてもよい。
【００８６】
中継装置６１は、再送処理後、所定期間、送信先のノード７１ｃからＡＣＫ信号を受信しなかったので、同一の通信フレームを、ノード７１ｃ宛でＣポートから再送する。
ノード７１ｃは、中継装置６１から転送された自ノード宛の通信フレームを受信する。
ノード７１ｃは、中継装置６１へＡＣＫ信号を送信する。
中継装置６１は、ノード７１ｃからＡＣＫ信号を受信後、ノード７１ｃ宛の通信フレームを転送する送信処理を完了する。
【００８７】
このようにして、通信４の処理が実行される。
なお、上記の説明では、便宜上、Ａポート側の処理を説明した後、Ｃポート側の処理を説明したが、必ずこのように逐次実行されるわけではなく、それぞれの処理が並行して処理されてもよい。
また、上記の説明では、ＡＣＫ信号を受信しなかった期間は、所定の期間であるとしたが、ここでいう所定の期間とは、例えば、３秒であるが、これに限定するものではない。
【００８８】
このように、再送処理に制約をかければ、通信３の処理及び通信４の処理において、一律に再送処理が繰り返し実行されることはない。
このため、空調システム５１のネットワーク上の通信トラフィックが必要以上に増加することはない。
すなわち、空調システム５１の通信ネットワーク１０１の通信トラフィックを低減することができる。
さらに、上記で説明したように、各ポート側に関するデータテーブルの内容にかかわらず、一回は通信フレームは転送される。
すなわち、中継装置６１は、該当する通信ポートから、この通信ポートと接続関係が形成されている通信ネットワーク１０１の各ノードへ、通信フレームを出力する。
このため、空調システム５１の通信ネットワーク１０１上の任意の位置から空調システム５１全体の通信内容を監視することができる。
【００８９】
ここで、ＡＣＫ信号が送信されなかったときに再送処理を実行しなくても、通信の確実性が損なわれない理由について説明する。
通常、通信が不成立する理由は２つの場合が想定される。
第１の理由は、ノイズ等により、ある一定の確率で通信が成立しない場合である。
第２の理由は、ノードの電源が遮断したり、ノード間の通信路が断絶したりすることにより、一定期間、全く通信が成立しない場合である。
【００９０】
このようなとき、中継装置６１は、直接、自機である中継装置６１との通信だけではなく、他ノード間の通信状況から、一定期間、通信が成立したノードを通信経路テーブルに登録する処理を実行する。
このようにして作成された通信経路テーブルは、第１の理由により通信が成立しないとき、存在するはずのノードが削除される確率は、短期間で行われる直接送信により再送処理が発生する確率よりも十分に低い。
このため、常に再送処理が実行される場合に比べ、通信の確実性が損なわれることはない。
【００９１】
また、このようにして作成された通信経路テーブルは、第２の理由により通信が成立しないとき、存在するはずのノードが削除される確率は、短期間で行われる直接送信により再送処理が発生する確率よりも高くなる。
ただし、このときには、安全上の観点からシステムを停止させると同時に、ユーザにも速やかに異常を報知するようにする。
このため、通信の確実性が損なわれることを懸念する必要はなくなる。
【００９２】
したがって、ＡＣＫ信号が送信されなかったときに再送処理を実行しなくても、通信の確実性が損なわれることはないのである。
【００９３】
以上のように、本実施の形態１においては、１台又は複数台の室外機と、１台又は複数台の室内機とを冷媒配管で接続して運転し、室外機及び室内機が中継装置６１を介して通信を行う空調システム５１であって、複数の通信ポートを備える中継装置６１と、それぞれの通信ポートと論理的な接続関係が形成される複数の通信ネットワーク１０１と、それぞれの通信ネットワーク１０１と論理的な接続関係が形成される複数のノード７１とを備え、複数のノード７１のそれぞれは、室外機及び室内機の何れか一方が関連付けられ、複数のノード７１のうち、任意の一つのノードが第１ノードとして設定され、第１ノードと異なる任意の一つのノードが第２ノードとして設定され、中継装置６１は、第１ノードから第２ノードに通信フレームを転送処理後、第２ノードから受信確認信号を受信しなかったとき、通信フレームを当該第２ノードに再送するときの再送回数に制約をかけることにより、空調サービスの低下を抑制することができる。
【００９４】
実施の形態２．
本実施の形態１との相違点は、各通信ネットワークに形成されるノードが複数存在する点である。
なお、本実施の形態２において、特に記述しない項目については実施の形態１と同様とし、同一の機能や構成については同一の符号を用いて述べることとする。
なお、実施の形態１と同一の機能や構成についての説明は省略する。
【００９５】
図７は、本発明の実施の形態２における空調システム５２の構成の一例を示す図である。
図７に示すように、空調システム５２は、中継装置６２、ノード７１ｄ、ノード７１ｅ、ノード７１ｆ、ノード７１ｇ、ノード７１ｈ、ノード７１ｉ、ノード７１ｊ、ノード７１ｋ、ノード７１ｌ、ノード７１ｍ、ノード７１ｎ、及びノード７１ｏ等が互いに連係することにより、室内の空気を調和するものであり、その際、さまざまなデータが相互通信されるものである。
【００９６】
中継装置６２は、ノード７１ｄ、ノード７１ｅ、ノード７１ｆ、ノード７１ｇ、ノード７１ｈ、ノード７１ｉ、ノード７１ｊ、ノード７１ｋ、ノード７１ｌ、ノード７１ｍ、ノード７１ｎ、及びノード７１ｏの何れかから供給される通信フレームを転送先に転送する中継機能を有するものである。
具体的には、中継装置６２は、Ａポート、Ｂポート、Ｃポート、記憶部８２、及び制御部９２等を備えている。
なお、記憶部８２及び制御部９２は、実施の形態１の記憶部８１及び制御部９１と同様の機能構成であるため、その説明については省略する。
【００９７】
Ａポートは、通信ポートであり、通信ネットワーク１０２ａと論理的な接続関係が形成されるものである。すなわち、中継装置６２は、Ａポートを介して、通信ネットワーク１０２ａと通信を確立した状態にすることにより、通信ネットワーク１０２ａ上にあるノード７１ｄ、ノード７１ｅ、ノード７１ｆ、及びノード７１ｇとの相互通信を可能とする。
【００９８】
Ｂポートは、通信ポートであり、通信ネットワーク１０２ｂと論理的な接続関係が形成されるものである。すなわち、中継装置６２は、Ｂポートを介して、通信ネットワーク１０２ｂと通信を確立した状態にすることにより、通信ネットワーク１０２ｂ上にあるノード７１ｈ、ノード７１ｉ、ノード７１ｊ、及びノード７１ｋとの相互通信を可能とする。
【００９９】
Ｃポートは、通信ポートであり、通信ネットワーク１０２ｃと論理的な接続関係が形成されるものである。すなわち、中継装置６２は、Ｃポートを介して、通信ネットワーク１０２ｃと通信を確立した状態にすることにより、通信ネットワーク１０２ｃ上にあるノード７１ｌ、ノード７１ｍ、ノード７１ｎ、及びノード７１ｏとの相互通信を可能とする。
【０１００】
なお、ここでは、中継装置６２が３つの通信ポートを備えている一例について説明したが、これに限定するものではない。
例えば、中継装置６２が２つの通信ポートを備えているものであってもよい。
また、例えば、中継装置６２が４つ以上の多数の通信ポートを備えているものであってもよい。
なお、通信ネットワーク１０２ａ、通信ネットワーク１０２ｂ、及び通信ネットワーク１０２ｃは、実施の形態１の通信ネットワーク１０１と同様であるので、その説明については省略する。
ただし、通信ネットワーク１０２ａ、通信ネットワーク１０２ｂ、及び通信ネットワーク１０２ｃの何れかを特に限定しないときは、通信ネットワーク１０２と称する。
【０１０１】
ノード７１ｄは、通信ネットワーク１０２ａと論理的な接続関係が形成されるものであり、ネットワークを形成する論理的な構成要素を抽象化したものである。
例えば、ノード７１ｄを具体化したものとしては、室外機が相当する。この場合、ノード７１ｄは、室外機に相当する。つまり、抽象概念のノード７１ｄは、具体的には、室外機が関連付けられる。
ノード７１ｄは、空調システム５２の運用上、アドレスが割り付けられている。例えば、ノード７１ｄには、アドレス＃１が、ノード７１ｄの通信アドレスとして設定される。
なお、上記の説明では、ノード７１ｄが、室外機に関連付けられ、アドレス＃１が通信アドレスとして設定される一例について説明したが、これに限定するものでない。
例えば、ノード７１ｄが、室内機、後述するリモートコントローラ、及び後述する集中管理装置の何れかに関連付けられてもよい。
また、例えば、ノード７１ｄが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０２ａ上でノード７１ｄがユニークに定まるものであればよい。
【０１０２】
ノード７１ｅは、通信ネットワーク１０２ａと論理的な接続関係が形成されるものであり、ネットワークを形成する論理的な構成要素を抽象化したものである。
例えば、ノード７１ｅを具体化したものとしては、室内機が相当する。この場合、ノード７１ｅは、室内機に相当する。つまり、抽象概念のノード７１ｅは、具体的には、室内機が関連付けられる。
ノード７１ｅは、空調システム５２の運用上、アドレスが割り付けられている。例えば、ノード７１ｅには、アドレス＃２が、ノード７１ｅの通信アドレスとして設定される。
なお、上記の説明では、ノード７１ｅが、室内機に関連付けられ、アドレス＃２が通信アドレスとして設定される一例について説明したが、これに限定するものでない。
例えば、ノード７１ｅが、室外機、後述するリモートコントローラ、及び後述する集中管理装置の何れかに関連付けられてもよい。
また、例えば、ノード７１ｅが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０２ａ上でノード７１ｅがユニークに定まるものであればよい。
【０１０３】
ノード７１ｆは、通信ネットワーク１０２ａと論理的な接続関係が形成されるものであり、ネットワークを形成する論理的な構成要素を抽象化したものである。
例えば、ノード７１ｆを具体化したものとしては、室内機が相当する。この場合、ノード７１ｆは、室内機に相当する。つまり、抽象概念のノード７１ｆは、具体的には、室内機が関連付けられる。
ノード７１ｆは、空調システム５２の運用上、アドレスが割り付けられている。例えば、ノード７１ｆには、アドレス＃３が、ノード７１ｆの通信アドレスとして設定される。
なお、上記の説明では、ノード７１ｆが、室外機に関連付けられ、アドレス＃３が通信アドレスとして設定される一例について説明したが、これに限定するものでない。
例えば、ノード７１ｆが、室外機、後述するリモートコントローラ、及び後述する集中管理装置の何れかに関連付けられてもよい。
また、例えば、ノード７１ｆが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０２ａ上でノード７１ｆがユニークに定まるものであればよい。
【０１０４】
ノード７１ｇは、通信ネットワーク１０２ａと論理的な接続関係が形成されるものであり、ネットワークを形成する論理的な構成要素を抽象化したものである。
例えば、ノード７１ｇを具体化したものとしては、室内機が相当する。この場合、ノード７１ｇは、室内機に相当する。つまり、抽象概念のノード７１ｇは、具体的には、室内機が関連付けられる。
ノード７１ｇは、空調システム５２の運用上、アドレスが割り付けられている。例えば、ノード７１ｇには、アドレス＃４が、ノード７１ｇの通信アドレスとして設定される。
なお、上記の説明では、ノード７１ｇが、室内機に関連付けられ、アドレス＃４が通信アドレスとして設定される一例について説明したが、これに限定するものでない。
例えば、ノード７１ｇが、室外機、後述するリモートコントローラ、及び後述する集中管理装置の何れかに関連付けられてもよい。
また、例えば、ノード７１ｇが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０２ａ上でノード７１ｇがユニークに定まるものであればよい。
【０１０５】
ノード７１ｈは、通信ネットワーク１０２ｂと論理的な接続関係が形成されるものであり、ネットワークを形成する論理的な構成要素を抽象化したものである。
例えば、ノード７１ｂを具体化したものとしては、室外機が相当する。この場合、ノード７１ｂは、室外機に相当する。つまり、抽象概念のノード７１ｂは、具体的には、室外機が関連付けられる。
ノード７１ｂは、空調システム５２の運用上、アドレスが割り付けられている。例えば、ノード７１ｂには、アドレス＃５が、ノード７１ｂの通信アドレスとして設定される。
なお、上記の説明では、ノード７１ｂが、室外機に関連付けられ、アドレス＃５が通信アドレスとして設定される一例について説明したが、これに限定するものでない。
例えば、ノード７１ｂが、室内機、後述するリモートコントローラ、及び後述する集中管理装置の何れかに関連付けられてもよい。
また、例えば、ノード７１ｂが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０２ｂ上でノード７１ｈがユニークに定まるものであればよい。
【０１０６】
ノード７１ｉは、通信ネットワーク１０２ｂと論理的な接続関係が形成されるものであり、ネットワークを形成する論理的な構成要素を抽象化したものである。
例えば、ノード７１ｉを具体化したものとしては、室内機が相当する。この場合、ノード７１ｉは、室内機に相当する。つまり、抽象概念のノード７１ｉは、具体的には、室内機が関連付けられる。
ノード７１ｉは、空調システム５２の運用上、アドレスが割り付けられている。例えば、ノード７１ｉには、アドレス＃６が、ノード７１ｉの通信アドレスとして設定される。
なお、上記の説明では、ノード７１ｉが、室内機に関連付けられ、アドレス＃６が通信アドレスとして設定される一例について説明したが、これに限定するものでない。
例えば、ノード７１ｉが、室外機、後述するリモートコントローラ、及び後述する集中管理装置の何れかに関連付けられてもよい。
また、例えば、ノード７１ｉが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０２ｂ上でノード７１ｉがユニークに定まるものであればよい。
【０１０７】
ノード７１ｊは、通信ネットワーク１０２ｂと論理的な接続関係が形成されるものであり、ネットワークを形成する論理的な構成要素を抽象化したものである。
例えば、ノード７１ｊを具体化したものとしては、室内機が相当する。この場合、ノード７１ｊは、室内機に相当する。つまり、抽象概念のノード７１ｊは、具体的には、室内機が関連付けられる。
ノード７１ｊは、空調システム５２の運用上、アドレスが割り付けられている。例えば、ノード７１ｊには、アドレス＃７が、ノード７１ｊの通信アドレスとして設定される。
なお、上記の説明では、ノード７１ｊが、室内機に関連付けられ、アドレス＃７が通信アドレスとして設定される一例について説明したが、これに限定するものでない。
例えば、ノード７１ｊが、室外機、後述するリモートコントローラ、及び後述する集中管理装置の何れかに関連付けられてもよい。
また、例えば、ノード７１ｊが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０２ｂ上でノード７１ｊがユニークに定まるものであればよい。
【０１０８】
ノード７１ｋは、通信ネットワーク１０２ｂと論理的な接続関係が形成されるものであり、ネットワークを形成する論理的な構成要素を抽象化したものである。
例えば、ノード７１ｋを具体化したものとしては、リモートコントローラが相当する。
リモートコントローラは、室内機や室外機等にユーザ等からの操作指令の信号を供給するものである。
この場合、ノード７１ｋは、リモートコントローラに相当する。つまり、抽象概念のノード７１ｋは、具体的には、リモートコントローラが関連付けられる。
ノード７１ｋは、空調システム５２の運用上、アドレスが割り付けられている。例えば、ノード７１ｋには、アドレス＃８が、ノード７１ｋの通信アドレスとして設定される。
なお、上記の説明では、ノード７１ｋが、リモートコントローラに関連付けられ、アドレス＃８が通信アドレスとして設定される一例について説明したが、これに限定するものでない。
例えば、ノード７１ｋが、室内機、室外機、及び後述する集中管理装置の何れかに関連付けられてもよい。
また、例えば、ノード７１ｋが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０２ｂ上でノード７１ｋがユニークに定まるものであればよい。
【０１０９】
ノード７１ｌは、通信ネットワーク１０２ｃと論理的な接続関係が形成されるものであり、ネットワークを形成する論理的な構成要素を抽象化したものである。
例えば、ノード７１ｌを具体化したものとしては、室外機が相当する。この場合、ノード７１ｌは、室外機に相当する。つまり、抽象概念のノード７１ｌは、具体的には、室外機が関連付けられる。
ノード７１ｌは、空調システム５２の運用上、アドレスが割り付けられている。例えば、ノード７１ｌには、アドレス＃９が、ノード７１ｌの通信アドレスとして設定される。
なお、上記の説明では、ノード７１ｌが、室外機に関連付けられ、アドレス＃９が通信アドレスとして設定される一例について説明したが、これに限定するものでない。
例えば、ノード７１ｌが、室内機、リモートコントローラ、及び後述する集中管理装置の何れかに関連付けられてもよい。
また、例えば、ノード７１ｌが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０２ｃ上でノード７１ｌがユニークに定まるものであればよい。
【０１１０】
ノード７１ｍは、通信ネットワーク１０２ｃと論理的な接続関係が形成されるものであり、ネットワークを形成する論理的な構成要素を抽象化したものである。
例えば、ノード７１ｍを具体化したものとしては、室外機が相当する。この場合、ノード７１ｍは、室外機に相当する。つまり、抽象概念のノード７１ｍは、具体的には、室外機が関連付けられる。
ノード７１ｍは、空調システム５２の運用上、アドレスが割り付けられている。例えば、ノード７１ｍには、アドレス＃１０が、ノード７１ｍの通信アドレスとして設定される。
なお、上記の説明では、ノード７１ｍが、室外機に関連付けられ、アドレス＃１０が通信アドレスとして設定される一例について説明したが、これに限定するものでない。
例えば、ノード７１ｍが、室内機、リモートコントローラ、及び後述する集中管理装置の何れかに関連付けられてもよい。
また、例えば、ノード７１ｍが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０２ｃ上でノード７１ｍがユニークに定まるものであればよい。
【０１１１】
ノード７１ｎは、通信ネットワーク１０２ｃと論理的な接続関係が形成されるものであり、ネットワークを形成する論理的な構成要素を抽象化したものである。
例えば、ノード７１ｎを具体化したものとしては、室内機が相当する。この場合、ノード７１ｎは、室内機に相当する。つまり、抽象概念のノード７１ｎは、具体的には、室内機が関連付けられる。
ノード７１ｎは、空調システム５２の運用上、アドレスが割り付けられている。例えば、ノード７１ｎには、アドレス＃１１が、ノード７１ｎの通信アドレスとして設定される。
なお、上記の説明では、ノード７１ｎが、室内機に関連付けられ、アドレス＃１１が通信アドレスとして設定される一例について説明したが、これに限定するものでない。
例えば、ノード７１ｎが、室外機、リモートコントローラ、及び後述する集中管理装置の何れかに関連付けられてもよい。
また、例えば、ノード７１ｎが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０２ｃ上でノード７１ｎがユニークに定まるものであればよい。
【０１１２】
ノード７１ｏは、通信ネットワーク１０２ｃと論理的な接続関係が形成されるものであり、ネットワークを形成する論理的な構成要素を抽象化したものである。
例えば、ノード７１ｏを具体化したものとしては、集中管理装置が相当する。
集中管理装置は、通信ネットワーク１０２を管理するものである。
この場合、ノード７１ｏは、集中管理装置に相当する。つまり、抽象概念のノード７１ｏは、具体的には、集中管理装置が関連付けられる。
ノード７１ｏは、空調システム５２の運用上、アドレスが割り付けられている。例えば、ノード７１ｏには、アドレス＃１２が、ノード７１ｏの通信アドレスとして設定される。
なお、上記の説明では、ノード７１ｏが、集中管理装置に関連付けられ、アドレス＃１２が通信アドレスとして設定される一例について説明したが、これに限定するものでない。
例えば、ノード７１ｏが、室内機、室外機、及びリモートコントローラの何れかに関連付けられてもよい。
また、例えば、ノード７１ｏが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０２ｃ上でノード７１ｏがユニークに定まるものであればよい。
【０１１３】
なお、ノード７１ｄ、ノード７１ｅ、ノード７１ｆ、ノード７１ｇ、ノード７１ｈ、ノード７１ｉ、ノード７１ｊ、ノード７１ｋ、ノード７１ｌ、ノード７１ｍ、ノード７１ｎ、及びノード７１ｏの何れかを特に限定しないときは、ノード７１と称する。
また、ここでは、ノード７１が１２台の場合について説明したが、特にノード７１の台数を限定するものではなく、１２台未満であっても、１２台より多い台数であってもよい。
なお、中継装置６２と各ノードとの通信形態については、実施の形態１と同様であるので、その説明については省略する。
【０１１４】
図８は、本発明の実施の形態２における中継装置６２が保持するデータテーブルの構成の一例を示す図である。
図８に示すように、データテーブルは、ノード７１に関連するデータから構成されている。
【０１１５】
具体的には、データテーブルは、Ａポート側の通信ネットワーク１０２ａ上にあるノード７１ｄ、ノード７１ｅ、ノード７１ｆ、及びノード７１ｇに関連するデータ、Ｂポート側の通信ネットワーク１０２ｂ上にあるノード７１ｈ、ノード７１ｉ、ノード７１ｊ、及びノード７１ｋに関連するデータ、及びＣポート側の通信ネットワーク１０２ｃ上にあるノード７１ｌ、ノード７１ｍ、ノード７１ｎ、及びノード７１ｏに関連するデータから構成されている。
【０１１６】
まず、Ａポート側に関するデータテーブルについて説明する。
データテーブルは、ノード７１ｄに関連するデータとして、通信アドレスのデータ及び機種データが組で設定されている。
ここでいう機種データとは、例えば、室内機や室外機等の空調システムを構成する具体的な構成要素である。
例えば、図７に示すように、Ａポート側の通信ネットワーク１０２ａと論理的な接続関係を形成するノード７１ｄは、通信アドレスとしてアドレス＃１が設定され、機種データとして室外機を示すものが設定されている。
【０１１７】
また、データテーブルは、ノード７１ｅに関連するデータとして、通信アドレスのデータ及び機種データが組で設定されている。
ここでいう機種データとは、例えば、室内機や室外機等の空調システムを構成する具体的な構成要素である。
例えば、図７に示すように、Ａポート側の通信ネットワーク１０２ａと論理的な接続関係を形成するノード７１ｅは、通信アドレスとしてアドレス＃２が設定され、機種データとして室内機を示すものが設定されている。
【０１１８】
また、データテーブルは、ノード７１ｆに関連するデータとして、通信アドレスのデータ及び機種データが組で設定されている。
ここでいう機種データとは、例えば、室内機や室外機等の空調システムを構成する具体的な構成要素である。
例えば、図７に示すように、Ａポート側の通信ネットワーク１０２ａと論理的な接続関係を形成するノード７１ｆは、通信アドレスとしてアドレス＃３が設定され、機種データとして室内機を示すものが設定されている。
【０１１９】
また、データテーブルは、ノード７１ｇに関連するデータとして、通信アドレスのデータ及び機種データが組で設定されている。
ここでいう機種データとは、例えば、室内機や室外機等の空調システムを構成する具体的な構成要素である。
例えば、図７に示すように、Ａポート側の通信ネットワーク１０２ａと論理的な接続関係を形成するノード７１ｇは、通信アドレスとしてアドレス＃４が設定され、機種データとして室内機を示すものが設定されている。
【０１２０】
次に、Ｂポート側に関するデータテーブルについて説明する。
データテーブルは、ノード７１ｈに関連するデータとして、通信アドレスのデータ及び機種データが組で設定されている。
ここでいう機種データとは、例えば、室内機や室外機等の空調システムを構成する具体的な構成要素である。
例えば、図７に示すように、Ｂポート側の通信ネットワーク１０２ｂと論理的な接続関係を形成するノード７１ｈは、通信アドレスとしてアドレス＃５が設定され、機種データとして室外機を示すものが設定されている。
【０１２１】
また、データテーブルは、ノード７１ｉに関連するデータとして、通信アドレスのデータ及び機種データが組で設定されている。
ここでいう機種データとは、例えば、室内機や室外機等の空調システムを構成する具体的な構成要素である。
例えば、図７に示すように、Ｂポート側の通信ネットワーク１０２ｂと論理的な接続関係を形成するノード７１ｉは、通信アドレスとしてアドレス＃６が設定され、機種データとして室内機を示すものが設定されている。
【０１２２】
また、データテーブルは、ノード７１ｊに関連するデータとして、通信アドレスのデータ及び機種データが組で設定されている。
ここでいう機種データとは、例えば、室内機や室外機等の空調システムを構成する具体的な構成要素である。
例えば、図７に示すように、Ｂポート側の通信ネットワーク１０２ｂと論理的な接続関係を形成するノード７１ｊは、通信アドレスとしてアドレス＃７が設定され、機種データとして室内機を示すものが設定されている。
【０１２３】
また、データテーブルは、ノード７１ｋに関連するデータとして、通信アドレスのデータ及び機種データが組で設定されている。
ここでいう機種データとは、例えば、室内機や室外機等の空調システムを構成する具体的な構成要素である。
例えば、図７に示すように、Ｂポート側の通信ネットワーク１０２ｂと論理的な接続関係を形成するノード７１ｋは、通信アドレスとしてアドレス＃８が設定され、機種データとしてリモートコントローラを示すものが設定されている。
【０１２４】
次に、Ｃポート側に関するデータテーブルについて説明する。
データテーブルは、ノード７１ｌに関連するデータとして、通信アドレスのデータ及び機種データが組で設定されている。
ここでいう機種データとは、例えば、室内機や室外機等の空調システムを構成する具体的な構成要素である。
例えば、図７に示すように、Ｃポート側の通信ネットワーク１０２ｃと論理的な接続関係を形成するノード７１ｌは、通信アドレスとしてアドレス＃９が設定され、機種データとして室外機を示すものが設定されている。
【０１２５】
また、データテーブルは、ノード７１ｍに関連するデータとして、通信アドレスのデータ及び機種データが組で設定されている。
ここでいう機種データとは、例えば、室内機や室外機等の空調システムを構成する具体的な構成要素である。
例えば、図７に示すように、Ｃポート側の通信ネットワーク１０２ｃと論理的な接続関係を形成するノード７１ｍは、通信アドレスとしてアドレス＃１０が設定され、機種データとして室外機を示すものが設定されている。
【０１２６】
また、データテーブルは、ノード７１ｎに関連するデータとして、通信アドレスのデータ及び機種データが組で設定されている。
ここでいう機種データとは、例えば、室内機や室外機等の空調システムを構成する具体的な構成要素である。
例えば、図７に示すように、Ｃポート側の通信ネットワーク１０２ｃと論理的な接続関係を形成するノード７１ｎは、通信アドレスとしてアドレス＃１１が設定され、機種データとして室内機を示すものが設定されている。
【０１２７】
また、データテーブルは、ノード７１ｏに関連するデータとして、通信アドレスのデータ及び機種データが組で設定されている。
ここでいう機種データとは、例えば、室内機や室外機等の空調システムを構成する具体的な構成要素である。
例えば、図７に示すように、Ｃポート側の通信ネットワーク１０２ｃと論理的な接続関係を形成するノード７１ｏは、通信アドレスとしてアドレス＃１２が設定され、機種データとして集中管理装置を示すものが設定されている。
【０１２８】
要するに、Ａポート側には、通信アドレスが＃１と機種データが室外機との組から構成されるノード情報と、通信アドレスが＃２と機種データが室内機との組から構成されるノード情報と、通信アドレスが＃３と機種データが室内機との組から構成されるノード情報と、通信アドレスが＃４と機種データが室内機との組から構成されるノード情報が構成されている。
【０１２９】
Ｂポート側には、通信アドレスが＃５と機種データが室外機との組から構成されるノード情報と、通信アドレスが＃６と機種データが室内機との組から構成されるノード情報と、通信アドレスが＃７と機種データが室内機との組から構成されるノード情報と、通信アドレスが＃８と機種データがリモートコントローラとの組から構成されるノード情報とが構成されている。
【０１３０】
Ｃポート側には、通信アドレスが＃９と機種データが室外機との組から構成されるノード情報と、通信アドレスが＃１０と機種データが室外機との組から構成されるノード情報と、通信アドレスが＃１１と機種データが室内機との組から構成されるノード情報と、通信アドレスが＃１２と機種データが集中管理装置との組から構成されるノード情報とが構成されている。
【０１３１】
なお、データテーブルの形式については、これに限定するものではない。
例えば、通信アドレスだけの通信アドレステーブルと、機種データだけの機種データテーブルとがそれぞれ事前に作成され、通信アドレステーブルと、機種データテーブルとを一対一に対応づけるマッピングテーブルが作成されることにより、通信アドレスと機種データとの組が作成可能な状態にしておいてもよい。
また、通信アドレステーブル、機種データテーブル、及びマッピングテーブルを統合化したものが、データテーブルであってもよい。
また、データテーブルのデータは、空調システム５２の稼働前に予め記憶部８２に格納させておいてもよく、空調システム５２の稼働中に任意のノード７１からデータテーブルのデータが供給されることにより、設定されてもよい。
【０１３２】
図９は、本発明の実施の形態２における空調システム５２の同一通信ネットワーク内にあるノードと中継装置６２との一連の動作例を示すシーケンスである。
【０１３３】
図９に示すように、通信５は、ノード７１ｄからノード７１ｅへのデータ送信である。
以下、通信５の詳細について、順に説明する。
【０１３４】
（通信５）
通信５の処理について説明する。
ノード７１ｄは、ノード７１ｅ宛に通信フレームを送信する。
ノード７１ｅは、ノード７１ｄから送信された通信フレームを受信後、ノード７１ｄにＡＣＫ信号を送信する。
ノード７１ｄは、ノード７１ｅからＡＣＫ信号を受信後、自ノードの送信処理を完了する。
中継装置６２は、ノード７１ｄから受信したノード７１ｅ宛の通信フレームをＡポートで受信後、ノード７１ｅと接続関係が形成されていないＢポート及びＣポートから送信する。
なお、中継装置６２には、ノード７１ｅはＢポート、Ｃポートいずれにも登録されていないためＡＣＫを送信しない。
【０１３５】
Ｂポート側の処理について説明する。
中継装置６２は、ノード７１ｅ宛の通信フレームをＢポートから送信する。
中継装置６２は、所定期間、送信先のノード７１ｅからＡＣＫ信号を受信しなかったものの、Ｂポート側に関するデータテーブルには送信先であるノード７１ｅは登録されていない。そこで、この場合については、同一の通信フレームを、ノード７１ｅ宛でＢポートから再送する処理を実行しない。
すなわち、中継装置６２は、送信先のノードが未登録時、所定期間、送信先のノード７１ｅからＡＣＫ信号を受信しなくても、同一の通信フレームを、ノード７１ｅ宛でＢポートから再送する処理を実行しない。
換言すれば、中継装置６２は、転送処理する通信フレームの転送先が登録されていないとき、再送回数をゼロ回に設定する。
【０１３６】
Ｃポート側の処理について説明する。
中継装置６２は、ノード７１ｅ宛の通信フレームをＣポートから送信する。
中継装置６２は、所定期間、送信先のノード７１ｅからＡＣＫ信号を受信しなかったものの、Ｃポート側に関するデータテーブルには送信先であるノード７１ｅは登録されていない。そこで、この場合については、同一の通信フレームを、ノード７１ｅ宛でＣポートから再送する処理を実行しない。
すなわち、中継装置６２は、送信先のノードが未登録時、所定期間、送信先のノード７１ｅからＡＣＫ信号を受信しなくても、同一の通信フレームを、ノード７１ｅ宛でＣポートから再送する処理を実行しない。
換言すれば、中継装置６２は、転送処理する通信フレームの転送先が登録されていないとき、再送回数をゼロ回に設定する。
【０１３７】
このようにして、通信５の処理が実行される。
なお、上記の説明では、便宜上、Ｂポート側の処理を説明した後、Ｃポート側の処理を説明したが、必ずこのように逐次実行されるわけではなく、それぞれの処理が並行して処理されてもよい。
【０１３８】
図１０は、本発明の実施の形態２における空調システム５２の異なる通信ネットワーク内にあるノードと中継装置６２との一連の動作例を示すシーケンスである。
【０１３９】
図１０に示すように、通信６は、ノード７１ｋからノード７１ｇへのデータ送信である。
以下、通信６の詳細について説明する。
【０１４０】
（通信６）
通信６の処理について説明する。
ノード７１ｋは、ノード７１ｇ宛に通信フレームを送信する。
中継装置６２は、ノード７１ｋから送信された通信フレームをＢポートで受信後、ノード７１ｋにＡＣＫ信号をＢポートから送信する。
ノード７１ｋは、中継装置６２からＡＣＫ信号を受信後、自ノードの送信処理を完了する。
中継装置６２は、ノード７１ｋから受信したノード７１ｇ宛の通信フレームを、ノード７１ｇと接続関係が形成されているＡポートと、ノード７１ｇと接続関係が形成されていないＣポートから送信する。
【０１４１】
Ａポート側の処理について説明する。
中継装置６２は、ノード７１ｇにＡポートから通信フレームを転送する。
ノード７１ｇは、中継装置６２から転送された自ノード宛の通信フレームを受信する。
ノード７１ｇは、中継装置へＡＣＫ信号を送信する。
中継装置６２は、ノード７１ｇからＡＣＫ信号を受信後、ノード７１ｇ宛の通信フレームを転送する送信処理を完了する。ただし、中継装置６２は、通信フレームを、Ｂポート側及びＣポート側からそれぞれ送信する。
【０１４２】
Ｃポート側の処理について説明する。
中継装置６２は、ノード７１ｇ宛の通信フレームをＣポートから送信する。
中継装置６２は、所定期間、送信先のノード７１ｇからＡＣＫ信号を受信しなかったものの、Ｃポート側に関するデータテーブルには送信先であるノード７１ｇは登録されていない。そこで、この場合については、同一の通信フレームを、ノード７１ｇ宛でＣポートから再送する処理を実行しない。
すなわち、中継装置６２は、送信先のノードが未登録時、所定期間、送信先のノード７１ｇからＡＣＫ信号を受信しなくても、同一の通信フレームを、ノード７１ｇ宛でＣポートから再送する処理を実行しない。
換言すれば、中継装置６２は、転送処理する通信フレームの転送先が登録されていないとき、再送回数をゼロ回に設定する。
【０１４３】
このようにして、通信６の処理が実行される。
なお、上記の説明では、便宜上、Ａポート側の処理を説明した後、Ｃポート側の処理を説明したが、必ずこのように逐次実行されるわけではなく、それぞれの処理が並行して処理されてもよい。
【０１４４】
図１１は、本発明の実施の形態２における空調システム５２には存在しないノードへのデータ送信の一例を示すシーケンスである。
【０１４５】
図１１に示すように、通信７は、ノード７１ｏからノード７１ｗへのデータ送信である。
以下、通信７の詳細について説明する。
【０１４６】
（通信７）
通信７の処理について説明する。
ノード７１ｏは、ノード７１ｗ宛に通信フレームを送信する。
中継装置６２は、ノード７１ｏから送信された通信フレームをＣポートで受信するが、ノード７１ｗはＡポート、Ｂポートいずれにも登録されていないためＡＣＫを送信しない。
ノード７１ｏは、所定の時間送信先のノード７１ｗからＡＣＫ信号を受信しなかったので、同一の通信フレームを所定の回数ノード７１ｗ宛に再送する。
なお、中継装置６２は再送フレームを受信するが、受信したフレームの内容から再送フレームであることを判断し転送しない。
中継装置６２は、ノード７１ｏから受信したノード７１ｗ宛の通信フレームを、ノード７１ｗと接続関係が形成されていないＡポート及びＢポートから送信する。
【０１４７】
Ａポート側の処理について説明する。
中継装置６２は、ノード７１ｗ宛の通信フレームをＡポートから送信する。
中継装置６２は、所定期間、送信先のノード７１ｗからＡＣＫ信号を受信しなかったものの、Ａポート側に関するデータテーブルには送信先であるノード７１ｗは登録されていない。そこで、この場合については、同一の通信フレームを、ノード７１ｗ宛でＡポートから再送する処理を実行しない。
すなわち、中継装置６２は、送信先のノードが未登録時、所定期間、送信先のノード７１ｗからＡＣＫ信号を受信しなくても、同一の通信フレームを、ノード７１ｗ宛でＡポートから再送する処理を実行しない。
換言すれば、中継装置６２は、転送処理する通信フレームの転送先が登録されていないとき、再送回数をゼロ回に設定する。
【０１４８】
Ｂポート側の処理について説明する。
中継装置６２は、ノード７１ｗ宛の通信フレームをＢポートから送信する。
中継装置６２は、所定期間、送信先のノード７１ｗからＡＣＫ信号を受信しなかったものの、Ｂポート側に関するデータテーブルには送信先であるノード７１ｗは登録されていない。そこで、この場合については、同一の通信フレームを、ノード７１ｗ宛でＢポートから再送する処理を実行しない。
すなわち、中継装置６２は、送信先のノードが未登録時、所定期間、送信先のノード７１ｗからＡＣＫ信号を受信しなくても、同一の通信フレームを、ノード７１ｗ宛でＢポートから再送する処理を実行しない。
換言すれば、中継装置６２は、転送処理する通信フレームの転送先が登録されていないとき、再送回数をゼロ回に設定する。
【０１４９】
このようにして、通信７の処理が実行される。
なお、上記の説明では、便宜上、Ａポート側の処理を説明した後、Ｂポート側の処理を説明したが、必ずこのように逐次実行されるわけではなく、それぞれの処理が並行して処理されてもよい。
【０１５０】
このように、再送処理に制約をかければ、通信５〜７の処理において、一律に再送処理が繰り返し実行されることはない。
このため、空調システム５２のネットワーク上の通信トラフィックが必要以上に増加することはない。
すなわち、空調システム５２の通信ネットワーク１０２の通信トラフィックを低減することができる。
さらに、上記で説明したように、各ポート側に関するデータテーブルの内容にかかわらず、一回は通信フレームは転送されている。
すなわち、中継装置６２は、各通信ポートから、各通信ポートと接続関係が形成されている通信ネットワーク１０２の各ノードへ、通信フレームを出力する。
このため、空調システム５２の通信ネットワーク１０２上の任意の位置から空調システム５２全体の通信内容を監視することができる。
【０１５１】
以上のように、本実施の形態２においては、複数のノードの一つとして、複数の通信ネットワークを管理する集中管理装置が更に設定され、中継装置６２は、機種データとして、集中管理装置を設定したことにより、空調システム５２全体の通信内容を監視することができる。
【０１５２】
実施の形態３．
本実施の形態１、２との相違点は、通信ネットワーク上の複数のノードのうちの一つのノードが取り外される点である。
なお、本実施の形態３において、特に記述しない項目については実施の形態１、２と同様とし、同一の機能や構成については同一の符号を用いて述べることとする。
なお、実施の形態１、２と同一の機能や構成についての説明は省略する。
【０１５３】
図１２は、本発明の実施の形態３における空調システム５３の構成の一例を示す図である。
図１２に示すように、空調システム５３は、中継装置６３、ノード７１ｄ、ノード７１ｅ、ノード７１ｆ、ノード７１ｇ、ノード７１ｈ、ノード７１ｉ、ノード７１ｊ、ノード７１ｋ、ノード７１ｌ、ノード７１ｍ、ノード７１ｎ、及びノード７１ｏ等が互いに連係することにより、室内の空気を調和するものであり、その際、さまざまなデータが相互通信されるものである。
なお、空調システム５３の各構成要素は、実施の形態２の空調システム５２の各構成要素と同様であるため、その説明については省略する。
ただし、通信ネットワーク１０３ａ、通信ネットワーク１０３ｂ、及び通信ネットワーク１０３ｃの何れかを特に限定しないときは、通信ネットワーク１０３と称する。
【０１５４】
図１３は、本発明の実施の形態３における中継措置６３が保持するデータテーブルの登録内容の遷移を示す図である。
登録抹消前ノード情報のデータテーブル２０１は、Ａポート側に関するノード情報と、Ｂポート側に関するノード情報と、Ｃポート側に関するノード情報とから構成されている。
登録抹消前ノード情報のデータテーブル２０１の詳細について、Ａポート側、Ｂポート側、及びＣポート側の順で説明する。
【０１５５】
Ａポート側には、通信アドレスが＃１と機種データが室外機との組から構成されるノード情報と、通信アドレスが＃２と機種データが室内機との組から構成されるノード情報と、通信アドレスが＃３と機種データが室内機との組から構成されるノード情報と、通信アドレスが＃４と機種データが室内機との組から構成されるノード情報とが構成されている。
【０１５６】
Ｂポート側には、通信アドレスが＃５と機種データが室外機との組から構成されるノード情報と、通信アドレスが＃６と機種データが室内機との組から構成されるノード情報と、通信アドレスが＃７と機種データが室内機との組から構成されるノード情報と、通信アドレスが＃８と機種データがリモートコントローラとの組から構成されるノード情報とが構成されている。
【０１５７】
Ｃポート側には、通信アドレスが＃９と機種データが室外機との組から構成されるノード情報と、通信アドレスが＃１０と機種データが室外機との組から構成されるノード情報と、通信アドレスが＃１１と機種データが室内機との組から構成されるノード情報と、通信アドレスが＃１２と機種データが室内機との組から構成されるノード情報とが構成されている。
【０１５８】
登録抹消後ノード情報のデータテーブル２０２は、Ａポート側に関するノード情報と、Ｂポート側に関するノード情報と、Ｃポート側に関するノード情報とから構成されている。
登録抹消後ノード情報のデータテーブル２０２の詳細について、Ａポート側、Ｂポート側、及びＣポート側の順で説明する。
【０１５９】
Ａポート側には、通信アドレスが＃１と機種データが室外機との組から構成されるノード情報と、通信アドレスが＃２と機種データが室内機との組から構成されるノード情報と、通信アドレスが＃３と機種データが室内機との組から構成されるノード情報と、通信アドレスが＃４と機種データが室内機との組から構成されるノード情報とが構成されている。
【０１６０】
Ｂポート側には、通信アドレスが＃５と機種データが室外機との組から構成されるノード情報と、通信アドレスが＃６と機種データが室内機との組から構成されるノード情報と、通信アドレスが＃７と機種データが室内機との組から構成されるノード情報と、通信アドレスが＃８と機種データがリモートコントローラとの組から構成されるノード情報とが構成されている。
【０１６１】
Ｃポート側には、通信アドレスが＃９と機種データが室外機との組から構成されるノード情報と、通信アドレスが＃１０と機種データが室外機との組から構成されるノード情報と、通信アドレスが＃１１と機種データが室内機との組から構成されるノード情報が削除された空のノード情報と、通信アドレスが＃１２と機種データが室内機との組から構成されるノード情報とが構成されている。
すなわち、通信アドレスが＃１１のノード情報が登録抹消されている。
具体的には、図１２に示すノード７１ｎが取り外された状態となっている。
このように、データテーブルの登録内容が更新される処理について、図１４を用いて説明する。
【０１６２】
図１４は、本発明の実施の形態３における空調システム５３の各ノードと中継装置６３との一連の動作例を示すシーケンスである。
【０１６３】
図１４に示すように、通信８は、ノード７１ｋからノード７１ｎへのデータ送信である。
以下、通信８の詳細について説明する。
【０１６４】
（通信８）
ノード７１ｋは、ノード７１ｎ宛に通信フレームを送信する。
中継装置６３は、ノード７１ｋから送信された通信フレームをＢポートで受信後、ノード７１ｋにＡＣＫ信号をＢポートから送信する。
ノード７１ｋは、中継装置６３からＡＣＫ信号を受信後、自ノードの送信処理を完了する。
中継装置６３は、ノード７１ｋから受信したノード７１ｎ宛の通信フレームを、ノード７１ｎと接続関係が形成されているＣポートと、ノード７１ｎと接続関係が形成されていないＡポートから送信する。
【０１６５】
Ｃポート側の処理について説明する。
中継装置６３は、ノード７１ｎにＣポートから通信フレームを転送する。
中継装置６３は、所定期間、送信先のノード７１ｎからＡＣＫ信号を受信しなかった。ただし、Ｃポート側に関するデータテーブルには送信先であるノード７１ｎが登録されている。そこで、この場合については、同一の通信フレームを、ノード７１ｎ宛でＣポートから再送する処理を実行する。
すなわち、中継装置６３は、送信先のノードが登録時、所定期間、送信先のノード７１ｎからＡＣＫ信号を受信しなかったとき、同一の通信フレームを、ノード７１ｎ宛でＣポートから再送する処理を実行する。
【０１６６】
換言すれば、中継装置６３は、通信フレームの転送先が登録されているとき、再送回数を予め設定した閾値回数に設定する。閾値回数は、通常の再送回数より少なくてもよい。そのような閾値回数は、例えば、２回であるが、特に限定するものではない。
中継装置６３は、再送処理後、所定期間、送信先のノード７１ｎからＡＣＫ信号を受信しなかったので、同一の通信フレームを、ノード７１ｎ宛でＣポートから再送する。
中継装置６３は、再送処理を所定回数繰り返したもののノード７１ｎからのＡＣＫ信号の送信が無かった。つまり、中継装置６３は、再送処理を所定回数繰り返したもののＡＣＫ信号をノード７１ｎから受信しなかった。
なお、ここでの所定回数の再送処理は、例えば、４回であるが、特にこれに限定するものではない。
【０１６７】
このように、中継装置６３は、再送処理を複数回実行してもＡＣＫ信号を受信しなかったとき、ノード７１ｎのノード情報を登録抹消する。
つまり、所定回数の再送処理後、ＡＣＫ信号送信が無い場合、ノード７１ｎのノード情報は登録抹消される。
【０１６８】
Ａポート側の処理について説明する。
中継装置６３は、ノード７１ｎ宛の通信フレームをＡポートから送信する。
中継装置６３は、所定期間、送信先のノード７１ｎからＡＣＫ信号を受信しなかったものの、Ａポート側に関するデータテーブルには送信先であるノード７１ｎは登録されていない。そこで、この場合については、同一の通信フレームを、ノード７１ｎ宛でＡポートから再送する処理を実行しない。
すなわち、中継装置６３は、送信先のノードが未登録時、所定期間、送信先のノード７１ｎからＡＣＫ信号を受信しなくても、同一の通信フレームを、ノード７１ｎ宛でＡポートから再送する処理を実行しない。
【０１６９】
このようにして、通信８の処理が実行される。
なお、上記の説明では、便宜上、Ｃポート側の処理を説明した後、Ａポート側の処理を説明したが、必ずこのように逐次実行されるわけではなく、それぞれの処理が並行して処理されてもよい。
【０１７０】
このように、中継装置６３は、通信フレームの転送先ノードの通信アドレスが登録されており、かつ、その通信フレームの転送後に転送先ノードからＡＣＫ信号を受信しないとき、転送先に該当するノード情報をデータテーブルから削除する。
換言すれば、送信先登録済みであり、かつ、ＡＣＫ信号送信が無い場合、再送処理を所定回数繰り返し実行するが、それでもＡＣＫ信号送信が無い場合、送信先となっているノード情報は登録抹消される。
これにより、通信ネットワーク１０３から取り外されたノード７１ｎに対して、必要以上に通信フレームを再送することがなくなる。
このため、通信ネットワーク１０３の通信トラフィックを必要以上に増加させることがなくなる。
この結果、通信ネットワーク１０３の通信トラフィックを低減させることができる。
また、所定回数再送処理後であってもＡＣＫ送信が無い場合、該当するノード情報は登録抹消、すなわち、削除されるため、動的にデータテーブルを更新することができる。
【０１７１】
このように、中継装置６３は、ノード情報を動的に更新することにより、ノード情報を登録抹消することができる。
【０１７２】
以上のように、本実施の形態３においては、中継装置６３は、通信フレームの転送先ノードの通信アドレスが未登録であり、かつ、当該通信フレームの転送後に当該転送先ノードから受信確認信号を受信したとき、当該受信確認信号に設定されている送信元のノードの通信アドレス及び当該ノードの機種データを、ノード情報としてデータテーブルに追加し、通信フレームの転送先ノードの通信アドレスが登録されており、かつ、当該通信フレームの転送後に当該転送先ノードから受信確認信号を受信しないとき、転送先に該当するノード情報をデータテーブルから削除することにより、ノード情報を登録抹消することができる。
【０１７３】
実施の形態４．
本実施の形態１〜３との相違点は、通信ネットワーク上に、ノードが一つ追加される点である。
なお、本実施の形態４において、特に記述しない項目については実施の形態１〜３と同様とし、同一の機能や構成については同一の符号を用いて述べることとする。
なお、実施の形態１〜３と同一の機能や構成についての説明は省略する。
【０１７４】
図１５は、本発明の実施の形態４における空調システム５４の構成の一例を示す図である。
図１５に示すように、空調システム５４は、中継装置６４、ノード７１ｄ、ノード７１ｅ、ノード７１ｆ、ノード７１ｇ、ノード７１ｈ、ノード７１ｉ、ノード７１ｊ、ノード７１ｋ、ノード７１ｌ、ノード７１ｍ、ノード７１ｎ、ノード７１ｏ、及びノード７１ｐ等が互いに連係することにより、室内の空気を調和するものであり、その際、さまざまなデータが相互通信されるものである。
なお、空調システム５４の各構成要素は、追加されるノード以外において、実施の形態２の空調システム５２の各構成要素と同様であるため、その説明については省略する。
なお、ここで追加されるノードは、図１６を用いて後述するように、通信アドレスが＃１３であり、かつ、機種データが室外機であるが、特にこれに限定するものではない。
また、通信ネットワーク１０４ａ、通信ネットワーク１０４ｂ、及び通信ネットワーク１０４ｃの何れかを特に限定しないときは、通信ネットワーク１０４と称する。
【０１７５】
図１６は、本発明の実施の形態４における中継装置６４が保持するデータテーブルの登録内容の遷移を示す図である。
ノード追加登録前ノード情報のデータテーブル２０３は、Ａポート側に関するノード情報と、Ｂポート側に関するノード情報と、Ｃポート側に関するノード情報とから構成されている。
ノード追加登録前ノード情報のデータテーブル２０３の詳細について、Ａポート側、Ｂポート側、及びＣポート側の順で説明する。
【０１７６】
Ａポート側には、通信アドレスが＃１と機種データが室外機との組から構成されるノード情報と、通信アドレスが＃２と機種データが室内機との組から構成されるノード情報と、通信アドレスが＃３と機種データが室内機との組から構成されるノード情報と、通信アドレスが＃４と機種データが室内機との組から構成されるノード情報とが構成されている。
【０１７７】
Ｂポート側には、通信アドレスが＃５と機種データが室外機との組から構成されるノード情報と、通信アドレスが＃６と機種データが室内機との組から構成されるノード情報と、通信アドレスが＃７と機種データが室内機との組から構成されるノード情報と、通信アドレスが＃８と機種データがリモートコントローラとの組から構成されるノード情報とが構成されている。
【０１７８】
Ｃポート側には、通信アドレスが＃９と機種データが室外機との組から構成されるノード情報と、通信アドレスが＃１０と機種データが室外機との組から構成されるノード情報と、通信アドレスが＃１１と機種データが室内機との組から構成されるノード情報と、通信アドレスが＃１２と機種データが室内機との組から構成されるノード情報とが構成されている。
【０１７９】
ノード追加登録後ノード情報のデータテーブル２０４は、Ａポート側に関するノード情報と、Ｂポート側に関するノード情報と、Ｃポート側に関するノード情報とから構成されている。
ノード追加登録後ノード情報のデータテーブル２０４の詳細について、Ａポート側、Ｂポート側、及びＣポート側の順で説明する。
【０１８０】
Ａポート側には、通信アドレスが＃１と機種データが室外機との組から構成されるノード情報と、通信アドレスが＃２と機種データが室内機との組から構成されるノード情報と、通信アドレスが＃３と機種データが室内機との組から構成されるノード情報と、通信アドレスが＃４と機種データが室内機との組から構成されるノード情報と、通信アドレスが＃１３と機種データが室外機との組から構成されるノード情報とが構成されている。
【０１８１】
Ｂポート側には、通信アドレスが＃５と機種データが室外機との組から構成されるノード情報と、通信アドレスが＃６と機種データが室内機との組から構成されるノード情報と、通信アドレスが＃７と機種データが室内機との組から構成されるノード情報と、通信アドレスが＃８と機種データがリモートコントローラとの組から構成されるノード情報とが構成されている。
【０１８２】
Ｃポート側には、通信アドレスが＃９と機種データが室外機との組から構成されるノード情報と、通信アドレスが＃１０と機種データが室外機との組から構成されるノード情報と、通信アドレスが＃１１と機種データが室内機との組から構成されるノード情報と、通信アドレスが＃１２と機種データが室内機との組から構成されるノード情報とが構成されている。
【０１８３】
すなわち、Ａポート側に関するデータテーブルにおいて、通信アドレスが＃１３のノード情報が追加登録されている。
具体的には、図１５に示すノード７１ｐが追加された状態となっている。
このように、データテーブルの登録内容が更新される処理について、図１７を用いて説明する。
【０１８４】
図１７は、本発明の実施の形態４における空調システム５４の各ノードと中継装置６４との一連の動作例を示すシーケンスである。
【０１８５】
図１７に示すように、通信９は、ノード７１ｋからノード７１ｐへのデータ送信である。
以下、通信９の詳細について説明する。
【０１８６】
（通信９）
ノード７１ｋは、ノード７１ｐ宛に通信フレームを送信する。
中継装置６４は、ノード７１ｋから送信された通信フレームをＢポートで受信するが、ノード７１ｐはＡポート、Ｃポートいずれにも登録されていないためＡＣＫを送信しない。
ノード７１ｋは、所定の時間送信先のノード７１ｐからＡＣＫ信号を受信しなかったので、同一の通信フレームを所定の回数ノード７１ｐ宛に再送する。
なお、中継装置６４は再送フレームを受信するが、受信したフレームの内容から再送フレームであることを判断し転送しない。
中継装置６４は、ノード７１ｋから受信したノード７１ｐ宛の通信フレームを、ノード７１ｐと接続関係が形成されていないＡポート及びＣポートから送信する。
【０１８７】
Ａポート側の処理について説明する。
中継装置６４は、ノード７１ｐ宛の通信フレームをＡポートから送信する。
ノード７１ｐは、中継装置６４から自ノード宛の通信フレームを受信後、中継装置６４にＡＣＫ信号を送信する。
中継装置６４は、ノード７１ｐからＡＣＫ信号を受信後、送信処理を完了する。ただし、中継装置６４は、Ｂポート側の処理及びＣポート側の処理については実行する。
このとき、中継装置６４は、送信先のノード７１ｐからＡＣＫ信号を受信したので、ＡＣＫ信号の送信元のノード７１ｐのノード情報を追加登録する。
例えば、中継装置６４は、ＡＣＫ信号に含まれる送信元の通信アドレス＃１３及び機種データである室外機を示す情報を抽出し、抽出した通信アドレス＃１３及び機種データの室外機を示す情報を、データテーブルに追加登録する。
つまり、送信先が未登録時には再送処理は無いものの、ＡＣＫ信号送信が有る場合には、ノード７１ｐのノード情報は追加登録される。
【０１８８】
Ｃポート側の処理について説明する。
中継装置６４は、ノード７１ｐ宛の通信フレームをＢポートから送信する。
中継装置６４は、所定期間、送信先のノード７１ｐからＡＣＫ信号を受信しなかったものの、Ｃポート側に関するデータテーブルには送信先であるノード７１ｐは登録されていない。そこで、この場合については、同一の通信フレームを、ノード７１ｐ宛でＣポートから再送する処理を実行しない。
すなわち、中継装置６４は、送信先のノードが未登録時、所定期間、送信先のノード７１ｐからＡＣＫ信号を受信しなくても、同一の通信フレームを、ノード７１ｐ宛でＣポートから再送する処理を実行しない。
【０１８９】
このようにして、通信９の処理が実行される。
なお、上記の説明では、便宜上、Ａポート側の処理を説明した後、Ｃポート側の処理を説明したが、必ずこのように逐次実行されるわけではなく、それぞれの処理が並行して処理されてもよい。
【０１９０】
このように、中継装置６４は、通信フレームの転送先ノードの通信アドレスが登録されておらず、かつ、その通信フレームの転送後に転送先ノードからＡＣＫ信号を受信したとき、転送先に該当するノード情報をデータテーブルから追加する。
換言すれば、中継装置６４は、送信先が未登録であり、かつ、通信フレームの転送後に転送先のノードからＡＣＫ信号を受信したとき、ＡＣＫ信号に設定されている送信元のノードの通信アドレス及び機種データを、ノード情報としてデータテーブルに追加する。
【０１９１】
これにより、通信ネットワーク１０４に追加されたノード７１ｐのノード情報を動的に更新することができる。
この結果、中継装置６４は、ノード情報を動的に更新することにより、ノード情報を追加登録することができる。
【０１９２】
以上のように、本実施の形態４においては、中継装置６４は、通信フレームの転送先ノードの通信アドレスが未登録であり、かつ、当該通信フレームの転送後に当該転送先ノードから受信確認信号を受信したとき、当該受信確認信号に設定されている送信元のノードの通信アドレス及び当該ノードの機種データを、ノード情報としてデータテーブルに追加し、通信フレームの転送先ノードの通信アドレスが登録されており、かつ、当該通信フレームの転送後に当該転送先ノードから受信確認信号を受信しないとき、転送先に該当するノード情報をデータテーブルから削除することにより、ノード情報を追加登録することができる。
【０１９３】
実施の形態５．
本実施の形態１〜４との相違点は、複数の中継装置がカスケード接続されている点である。
なお、本実施の形態５において、特に記述しない項目については実施の形態１〜４と同様とし、同一の機能や構成については同一の符号を用いて述べることとする。
なお、実施の形態１〜４と同一の機能や構成についての説明は省略する。
【０１９４】
図１８は、本発明の実施の形態５における空調システム５５の構成の一例を示す図である。
図１８に示すように、空調システム５５は、中継装置６５、中継装置６６、ノード７１ｄ、ノード７１ｅ、ノード７１ｆ、ノード７１ｇ、ノード７１ｈ、ノード７１ｉ、ノード７１ｊ、ノード７１ｋ、ノード７１ｌ、ノード７１ｍ、ノード７１ｎ、及びノード７１ｏ等が互いに連係することにより、室内の空気を調和するものであり、その際、さまざまなデータが相互通信されるものである。
【０１９５】
ここで、中継装置６５及び中継装置６６の機能構成については、実施の形態１〜４で説明した中継装置６１〜６４と同様であるので、その説明については省略する。
また、通信ネットワーク１０５ｄについても、実施の形態１〜４で説明した通信ネットワーク１０１〜１０４と同様であるので、その説明については省略する。
ただし、通信ネットワーク１０５ａ、通信ネットワーク１０５ｂ、通信ネットワーク１０５ｃ、及び通信ネットワーク１０５ｄの何れかを特に限定しないときは、通信ネットワーク１０５と称する。
【０１９６】
図１９は、本発明の実施の形態５における中継装置６５が保持するデータテーブルの構成の一例を示す図である。
【０１９７】
図１９に示すように、Ａポート側には、通信アドレスが＃１と機種データが室外機との組から構成されるノード情報と、通信アドレスが＃２と機種データが室内機との組から構成されるノード情報と、通信アドレスが＃３と機種データが室内機との組から構成されるノード情報と、通信アドレスが＃４と機種データが室内機との組から構成されるノード情報とが構成されている。
【０１９８】
図１９に示すように、Ｂポート側には、通信アドレスが＃５と機種データが室外機との組から構成されるノード情報と、通信アドレスが＃６と機種データが室内機との組から構成されるノード情報と、通信アドレスが＃７と機種データが室内機との組から構成されるノード情報と、通信アドレスが＃８と機種データがリモートコントローラとの組から構成されるノード情報とが構成されている。
【０１９９】
図１９に示すように、Ｃポート側には、通信アドレスが＃９と機種データが室外機との組から構成されるノード情報と、通信アドレスが＃１０と機種データが室外機との組から構成されるノード情報と、通信アドレスが＃１１と機種データが室内機との組から構成されるノード情報と、通信アドレスが＃１２と機種データが室内機との組から構成されるノード情報とが構成されている。
【０２００】
図２０は、本発明の実施の形態５における中継装置６６が保持するデータテーブルの構成の一例を示す図である。
図２０に示すように、Ａポート側には、通信アドレスが＃１と機種データが室外機との組から構成されるノード情報と、通信アドレスが＃２と機種データが室内機との組から構成されるノード情報と、通信アドレスが＃３と機種データが室内機との組から構成されるノード情報と、通信アドレスが＃４と機種データが室内機との組から構成されるノード情報と、通信アドレスが＃５と機種データが室外機との組から構成されるノード情報と、通信アドレスが＃６と機種データが室内機との組から構成されるノード情報と、通信アドレスが＃７と機種データが室内機との組から構成されるノード情報と、通信アドレスが＃８と機種データがリモートコントローラとの組から構成されるノード情報と、通信アドレスが＃９と機種データが室外機との組から構成されるノード情報と、通信アドレスが＃１０と機種データが室外機との組から構成されるノード情報とが構成されている。
【０２０１】
図２０に示すように、Ｂポート側には、通信アドレスが＃１１と機種データが室内機との組から構成されるノード情報と、通信アドレスが＃１２と機種データが室内機との組から構成されるノード情報とが構成されている。
【０２０２】
図２１は、本発明の実施の形態５における空調システム５５の各ノードと中継装置６５と中継装置６６との一連の動作例を示すシーケンスである。
【０２０３】
図２１に示すように、通信１０は、ノード７１ｏからノード７１ｄへのデータ送信である。
以下、通信１０の詳細について説明する。
【０２０４】
（通信１０）
ノード７１ｏは、ノード７１ｄ宛に通信フレームを送信する。
中継装置６６は、ノード７１ｏから送信された通信フレームをＢポートで受信後、ノード７１ｏにＡＣＫ信号をＢポートから送信する。
ノード７１ｏは、中継装置６６からＡＣＫ信号を受信後、自ノードの送信処理を完了する。
中継装置６６は、ノード７１ｏから受信したノード７１ｄ宛の通信フレームを、ノード７１ｄと接続関係が形成されているＡポートから送信する。
【０２０５】
中継装置６６のＡポート側の処理について説明する。
中継装置６６は、ノード７１ｄ宛の通信フレームをＡポートから送信する。
ここで、Ａポートから送信されたノード７１ｄ宛の通信フレームが、何らかの原因で喪失したと想定する。
中継装置６６は、所定期間、ＡＣＫ信号を受信しなかったものの、ノード７１ｄ宛の通信フレームを再送する処理を実行する。
つまり、送信先が登録済みであり、かつ、ＡＣＫ信号送信が無い場合、再送処理が実行さされる。
中継装置６５は、中継装置６６からノード７１ｄ宛の通信フレームを受信後、中継装置６６にＡＣＫ信号を送信する。
中継装置６６は、中継装置６５からＡＣＫ信号を受信後、送信処理を完了させる。
【０２０６】
中継装置６５は、中継装置６６から受信したノード７１ｄ宛の通信フレームを、ノード７１ｄと接続関係が形成されているＡポートと、ノード７１ｄと接続関係が形成されていないＢポートから送信する。
【０２０７】
中継装置６５のＡポート側の処理について説明する。
中継装置６５は、ノード７１ｄ宛の通信フレームをＡポートから転送する。
ノード７１ｄは、中継装置６５から転送された自ノード宛の通信フレームを受信する。
ノード７１ｄは、中継装置６５へＡＣＫ信号を送信する。
中継装置６５は、ノード７１ｄからＡＣＫ信号を受信後、ノード７１ｄ宛の通信フレームを転送する送信処理を完了する。
【０２０８】
中継装置６５のＢポート側の処理について説明する。
中継装置６５は、ノード７１ｄ宛の通信フレームをＢポートから送信する。
中継装置６５は、所定期間、送信先のノード７１ｄからＡＣＫ信号を受信しなかったものの、Ｂポート側に関するデータテーブルには送信先であるノード７１ｄは登録されていない。そこで、この場合については、同一の通信フレームを、ノード７１ｄ宛でＢポートから再送する処理を実行しない。
すなわち、中継装置６５は、送信先のノードが未登録時、所定期間、送信先のノード７１ｄからＡＣＫ信号を受信しなくても、同一の通信フレームを、ノード７１ｄ宛でＢポートから再送する処理を実行しない。
換言すれば、中継装置６５は、転送処理する通信フレームの転送先が登録されていないとき、再送回数をゼロ回に設定する。
【０２０９】
このようにして、通信１０が実行される。
なお、上記の説明では、便宜上、Ａポート側の処理を説明した後、Ｂポート側の処理を順次説明したが、必ずしもこのように逐次実行されるわけではなく、それぞれの処理が並行して処理されてもよい。
【０２１０】
このように、中継装置６５と、中継装置６６とはカスケード接続されており、中継装置６５及び中継装置６６のそれぞれは、カスケード接続により追加されたノードに関するノード情報が追加されたデータテーブルを備えたので、中継装置６６と接続関係のある通信ネットワーク１０５ｄ上のノード７１ｏから送信された通信フレームは、中継装置６５を介して、中継装置６５と接続関係のある通信ネットワーク１０５ａ上のノード７１ｄへ転送される。
【０２１１】
以上のように、本実施の形態５においては、中継装置を複数台備え、中継装置６５、６６は、通信ネットワーク１０５ｃを介して、カスケード接続され、当該カスケード接続された中継装置６５、６６のそれぞれは、カスケード接続により追加されたノードに関するノード情報を追加したデータテーブルを備えたことにより、複数の中継装置をカスケード接続した空調システムにおいても、通信フレームを転送することができる。
【符号の説明】
【０２１２】
１１  冷媒回路、２１  空調インバータ装置、３１  圧縮機、３３  室外送風機、３４  室外送風機駆動部、３５  室内送風機、３６  室内熱交換器、３７  膨張手段、３８  室外熱交換器、５１、５２、５３、５４、５５  空調システム、６１、６２、６３、６４、６５、６６  中継装置、８１、８２、８３、８４、８５、８６  記憶部、９１、９２、９３、９４、９５、９６  制御部、７１、７１ａ、７１ｂ、７１ｃ、７１ｄ、７１ｅ、７１ｆ、７１ｇ、７１ｈ、７１ｉ、７１ｊ、７１ｋ、７１ｌ、７１ｍ、７１ｎ、７１ｏ、７１ｐ  ノード、１０１、１０１ａ、１０１ｂ、１０１ｃ、１０２、１０２ａ、１０２ｂ、１０２ｃ、１０３、１０３ａ、１０３ｂ、１０３ｃ、１０４、１０４ａ、１０４ｂ、１０４ｃ、１０５、１０５ａ、１０５ｂ、１０５ｃ  通信ネットワーク、２０１  登録抹消前ノード情報のデータテーブル、２０２  登録抹消後ノード情報のデータテーブル、２０３  ノード追加登録前ノード情報のデータテーブル、２０４  ノード追加登録後ノード情報のデータテーブル。
【図１】
2013186811.tif 000003
【図２】
2013186811.tif 000004
【図３】
2013186811.tif 000005
【図４】
2013186811.tif 000006
【図５】
2013186811.tif 000007
【図６】
2013186811.tif 000008
【図７】
2013186811.tif 000009
【図８】
2013186811.tif 000010
【図９】
2013186811.tif 000011
【図１０】
2013186811.tif 000012
【図１１】
2013186811.tif 000013
【図１２】
2013186811.tif 000014
【図１３】
2013186811.tif 000015
【図１４】
2013186811.tif 000016
【図１５】
2013186811.tif 000017
【図１６】
2013186811.tif 000018
【図１７】
2013186811.tif 000019
【図１８】
2013186811.tif 000020
【図１９】
2013186811.tif 000021
【図２０】
2013186811.tif 000022
【図２１】
2013186811.tif 000023
【手続補正書】
【提出日】平成26年10月27日(2014.10.27)
【手続補正１】
【補正対象書類名】明細書
【補正対象項目名】００６３
【補正方法】変更
【補正の内容】
【００６３】
（通信２）
通信２の処理について説明する。
まず、ノード７１ｂは、ノード７１ｃ宛に通信フレームを送信する。
次に、ノード７１ｂは、所定期間、送信先のノード７１ｃからＡＣＫ信号を受信しなかったので、同一の通信フレームを、ノード７１ｃ宛に再送する。
次に、ノード７１ｂは、所定期間、送信先のノード７１ｃからＡＣＫ信号を受信しなかったので、同一の通信フレームを、ノード７１ｃ宛に再送する。
次に、ノード７１ｃは、ノード７１ｂから再送された通信フレームを受信する。
次に、ノード７１ｃは、ノード７１ｂから再送された通信フレームを受信したので、送信元であるノード７１ｂへ、ＡＣＫ信号を送信する。
次に、ノード７１ｂは、ノード７１ｃから送信されたＡＣＫ信号を受信し、送信処理を完了する。
このようにして、通信２の処理が実行される。
【手続補正２】
【補正対象書類名】明細書
【補正対象項目名】０１０５
【補正方法】変更
【補正の内容】
【０１０５】
ノード７１ｈは、通信ネットワーク１０２ｂと論理的な接続関係が形成されるものであり、ネットワークを形成する論理的な構成要素を抽象化したものである。
例えば、ノード７１ｈを具体化したものとしては、室外機が相当する。この場合、ノード７１ｈは、室外機に相当する。つまり、抽象概念のノード７１ｈは、具体的には、室外機が関連付けられる。
ノード７１ｈは、空調システム５２の運用上、アドレスが割り付けられている。例えば、ノード７１ｈには、アドレス＃５が、ノード７１ｈの通信アドレスとして設定される。
なお、上記の説明では、ノード７１ｈが、室外機に関連付けられ、アドレス＃５が通信アドレスとして設定される一例について説明したが、これに限定するものでない。
例えば、ノード７１ｈが、室内機、後述するリモートコントローラ、及び後述する集中管理装置の何れかに関連付けられてもよい。
また、例えば、ノード７１ｈが、通信アドレスとして、通信規格に準拠したもので割り付けられてもよい。具体的には、ＴＣＰ／ＩＰプロトコルに準拠した通信アドレスであってもよい。また、ＰＬＣ（Ｐｒｏｇｒａｍｍａｂｌｅ  Ｌｏｇｉｃ  Ｃｏｎｔｒｏｌｌｅｒ）に準拠した通信プロトコルに基づいた通信アドレスであってもよい。
いずれにしろ、通信アドレスは、通信ネットワーク１０２ｂ上でノード７１ｈがユニークに定まるものであればよい。
【手続補正３】
【補正対象書類名】明細書
【補正対象項目名】０１５３
【補正方法】変更
【補正の内容】
【０１５３】
図１２は、本発明の実施の形態３における空調システム５３の構成の一例を示す図である。
図１２に示すように、空調システム５３は、中継装置６３、ノード７１ｄ、ノード７１ｅ、ノード７１ｆ、ノード７１ｇ、ノード７１ｈ、ノード７１ｉ、ノード７１ｊ、ノード７１ｋ、ノード７１ｌ、ノード７１ｍ、ノード７１ｎ、及びノード７１ｏ等が互いに連係することにより、室内の空気を調和するものであり、その際、さまざまなデータが相互通信されるものである。
なお、空調システム５３の各構成要素は、実施の形態２の空調システム５２の各構成要素と同様であるため、その説明については省略する。
ただし、通信ネットワーク１０３ａ、通信ネットワーク１０３ｂ、及び通信ネットワーク１０３ｃの何れかを特に限定しないときは、通信ネットワーク１０３と称する。
中継装置６３は記憶部８３と制御部９３を備える。
【手続補正４】
【補正対象書類名】明細書
【補正対象項目名】０１７４
【補正方法】変更
【補正の内容】
【０１７４】
図１５は、本発明の実施の形態４における空調システム５４の構成の一例を示す図である。
図１５に示すように、空調システム５４は、中継装置６４、ノード７１ｄ、ノード７１ｅ、ノード７１ｆ、ノード７１ｇ、ノード７１ｈ、ノード７１ｉ、ノード７１ｊ、ノード７１ｋ、ノード７１ｌ、ノード７１ｍ、ノード７１ｎ、ノード７１ｏ、及びノード７１ｐ等が互いに連係することにより、室内の空気を調和するものであり、その際、さまざまなデータが相互通信されるものである。
なお、空調システム５４の各構成要素は、追加されるノード以外において、実施の形態２の空調システム５２の各構成要素と同様であるため、その説明については省略する。
なお、ここで追加されるノードは、図１６を用いて後述するように、通信アドレスが＃１３であり、かつ、機種データが室外機であるが、特にこれに限定するものではない。
また、通信ネットワーク１０４ａ、通信ネットワーク１０４ｂ、及び通信ネットワーク１０４ｃの何れかを特に限定しないときは、通信ネットワーク１０４と称する。
中継装置６４は記憶部８４と制御部９４を備える。
【手続補正５】
【補正対象書類名】明細書
【補正対象項目名】０１９０
【補正方法】変更
【補正の内容】
【０１９０】
このように、中継装置６４は、通信フレームの転送先ノードの通信アドレスが登録されておらず、かつ、その通信フレームの転送後に転送先ノードからＡＣＫ信号を受信したとき、転送先に該当するノード情報をデータテーブルに追加する。
換言すれば、中継装置６４は、送信先が未登録であり、かつ、通信フレームの転送後に転送先のノードからＡＣＫ信号を受信したとき、ＡＣＫ信号に設定されている送信元のノードの通信アドレス及び機種データを、ノード情報としてデータテーブルに追加する。
【手続補正６】
【補正対象書類名】明細書
【補正対象項目名】０１９４
【補正方法】変更
【補正の内容】
【０１９４】
図１８は、本発明の実施の形態５における空調システム５５の構成の一例を示す図である。
図１８に示すように、空調システム５５は、中継装置６５、中継装置６６、ノード７１ｄ、ノード７１ｅ、ノード７１ｆ、ノード７１ｇ、ノード７１ｈ、ノード７１ｉ、ノード７１ｊ、ノード７１ｋ、ノード７１ｌ、ノード７１ｍ、ノード７１ｎ、及びノード７１ｏ等が互いに連係することにより、室内の空気を調和するものであり、その際、さまざまなデータが相互通信されるものである。
中継装置６５は記憶部８５と制御部９５を備える。
【国際調査報告】
2013186811.tif 000024
2013186811.tif 000025
2013186811.tif 000026
2013186811.tif 000027